(57)【要約】  本発明は、デバイスツーデバイスデータ伝送方法、装置、およびシステムを開示し、通信分野に関する。方法は、データ伝送のために用いられるリソース集合の第１のリソースサブ集合に対して信号検出を実行する段階であって、信号検出が実行されるリソースは、リソース集合より小さい、段階と、信号検出結果に基づき、リソース集合における利用可能なリソースを決定する段階と、利用可能なリソースからリソースを選択することによって伝送されるべきデータを伝送する段階とを備える。本発明は、関連技術における、ハンドヘルドデバイスの比較的長期通常使用を保証できないという課題を解決し、ハンドヘルドデバイスの比較的長期通常使用を実現する。本発明は、データ伝送のために用いられる。
2019530347.tif 000002
【特許請求の範囲】
【請求項１】
デバイスツーデバイスデータ伝送装置であって、前記デバイスツーデバイスデータ伝送装置は、通信デバイスのために用いられ、
データ伝送のために用いられるリソース集合の第１のリソースサブ集合に対して信号検出を実行するよう構成される第１の検出モジュールであって、前記信号検出が実行されるリソースが前記リソース集合より小さい、第１の検出モジュールと、
信号検出結果に基づき、前記リソース集合における利用可能なリソースを決定するよう構成される第１の決定モジュールと、
前記利用可能なリソースからリソースを選択することによって伝送されるべきデータを伝送するよう構成される第１の伝送モジュールとを備える、
デバイスツーデバイスデータ伝送装置。
【請求項２】
前記リソース集合は、Ｎ個の初期集合に分割され、各初期集合は、少なくとも１つのリソースサブ集合を含み、Ｎは、１より大きいまたはそれに等しい整数である、請求項１に記載のデータ伝送装置。
【請求項３】
各初期集合は、少なくとも２つの第１のリソースサブ集合を含み、
前記少なくとも２つの第１のリソースサブ集合のうち任意の２つの隣接する第１のリソースサブ集合間の時間領域間隔が等しい、
請求項２に記載のデータ伝送装置。
【請求項４】
各初期集合は、少なくとも２つの第１のリソースサブ集合を含み、
各初期集合における２つの隣接する第１のリソースサブ集合間の時間領域間隔が全て、等差数列である、請求項２に記載のデータ伝送装置。
【請求項５】
前記リソース集合は、少なくとも２つの第１のリソースサブ集合を含み、２つの隣接する第１のリソースサブ集合間の時間領域間隔が全て、等差数列である、請求項１に記載のデータ伝送装置。
【請求項６】
前記第１の決定モジュールはさらに、
前記リソース集合の少なくとも１つの第２のリソースサブ集合を候補リソースとして決定し、
前記信号検出結果に基づき、前記候補リソースにおける利用可能なリソースを、前記リソース集合における前記利用可能なリソースとして決定するよう構成され、
各第２のリソースサブ集合と第１のリソースサブ集合との間の時間領域間隔がターゲット周期の正の整数倍であり、前記ターゲット周期は、前記第１のリソースサブ集合の信号エネルギー値、または前記伝送されるべきデータの優先度に基づいて決定されるか、または、各第２のリソースサブ集合と前記第１のリソースサブ集合との間の時間領域間隔は、予め設定された周期の正の整数倍である、
請求項１に記載のデータ伝送装置。
【請求項７】
より大きい信号エネルギー値がより長いターゲット周期を示し、より小さい信号エネルギー値がより短いターゲット周期を示すか、または、
前記伝送されるべきデータのより高い優先度がより短いターゲット周期を示し、前記伝送されるべきデータのより低い優先度がより長いターゲット周期を示すか、または、
より大きい信号エネルギー値が前記第２のリソースサブ集合のより小さい時間領域長を示し、より小さい信号エネルギー値が前記第２のリソースサブ集合のより大きい時間領域長を示すか、または、
前記伝送されるべきデータのより高い優先度が前記第２のリソースサブ集合のより大きい時間領域長を示し、前記伝送されるべきデータのより低い優先度が前記第２のリソースサブ集合のより小さい時間領域長を示す、
請求項６に記載のデータ伝送装置。
【請求項８】
前記第１の決定モジュールはさらに、
信号エネルギー値、または前記伝送されるべきデータの優先度に基づき、ゼロより大きいまたはそれに等しい整数である第１のパラメータＫを決定し、
Ｋ個の連続するサブフレームまたはＫ個の連続するシンボルからなり、前記第１のリソースサブ集合に隣接する、前記第１のリソースサブ集合の少なくとも一方の側の第３のリソースサブ集合を候補リソースとして決定し、
前記信号検出結果に基づき、前記候補リソースにおける利用可能なリソースを、前記リソース集合における前記利用可能なリソースとして決定するよう構成される、
請求項１に記載のデータ伝送装置。
【請求項９】
より大きい信号エネルギー値がより小さい第１のパラメータＫを示すか、または、
より小さい信号エネルギー値がより大きい第１のパラメータＫを示すか、または、
前記伝送されるべきデータのより高い優先度がより小さい第１のパラメータＫを示すか、または、
前記伝送されるべきデータのより低い優先度がより大きい第１のパラメータＫを示す、
請求項８に記載のデータ伝送装置。
【請求項１０】
前記第１の決定モジュールはさらに、
ゼロより大きいまたはそれに等しい整数である、予め設定された第１のパラメータＫを取得し、
Ｋ個の連続するサブフレームまたはＫ個の連続するシンボルからなり、前記第１のリソースサブ集合に隣接する、前記第１のリソースサブ集合の少なくとも一方の側の第３のリソースサブ集合を、候補リソースとして決定し、
前記信号検出結果に基づき、前記候補リソースにおける利用可能なリソースを、前記リソース集合における前記利用可能なリソースとして決定するよう構成される、
請求項１に記載のデータ伝送装置。
【請求項１１】
前記信号検出結果は、前記第１のリソースサブ集合の信号エネルギー値であり、前記リソース集合における少なくとも１つの集合と、少なくとも１つの確率値との間の一対一の対応関係が、前記通信デバイス上で設定され、前記第１の決定モジュールはさらに、
前記信号エネルギー値が予め設定された閾値より小さいとき、前記信号検出結果に基づき、前記第１のリソースサブ集合を、前記リソース集合における前記利用可能なリソースとして決定するか、または、前記信号エネルギー値が前記予め設定された閾値より小さくないとき、前記少なくとも１つの確率値から、確率値を利用可能な確率値として選択し、前記利用可能な確率値に対応する集合におけるリソースを、候補リソースとして用い、
前記信号検出結果に基づき、前記候補リソースにおける利用可能なリソースを、前記リソース集合における前記利用可能なリソースとして決定するよう構成される、
請求項１に記載のデータ伝送装置。
【請求項１２】
前記第１の伝送モジュールはさらに、第１の利用可能なリソースから利用可能なリソースを選択することによって、第１の伝送されるべきデータを伝送するよう構成され、
前記データ伝送装置はさらに、
（Ｘ＋１）番目の伝送されるべきデータを伝送する間に、前記リソース集合における前記第１のリソースサブ集合に対して（Ｘ＋１）番目の信号検出を実行するよう構成される第２の検出モジュールであって、Ｘは、１より大きいまたはそれに等しい整数である、第２の検出モジュールと、
（Ｘ＋１）番目の信号検出の信号検出結果と、最初のＸ個の伝送されるべきデータを伝送する間に実行される最初のＸ回の信号検出の信号検出結果のうち少なくとも１つとに基づき、前記リソース集合における第２の利用可能なリソースを決定するよう構成される第２の決定モジュールと、
前記第２の利用可能なリソースからリソースを選択することによって、前記（Ｘ＋１）番目の伝送されるべきデータを伝送するよう構成される第２送信モジュールとを含む、
請求項１に記載のデータ伝送装置。
【請求項１３】
前記信号検出結果は、前記第１のリソースサブ集合の信号エネルギー値であり、前記第１の検出モジュールはさらに、
データ伝送のために用いられ、かつ、前記第１のリソースサブ集合に属する第１のリソースを示す第１のスケジューリング割当ＳＡ情報を取得し、
前記第１のＳＡ情報が予約されたリソースの存在を示しているかを決定するよう構成され、
前記第１の決定モジュールはさらに、
前記第１のＳＡ情報が、予約されたリソースが存在しないことを示したとき、前記第１のリソースを候補リソースとして決定し、
前記信号検出結果に基づき、前記候補リソースにおける利用可能なリソースを、前記リソース集合における前記利用可能なリソースとして決定するよう構成される、
請求項１に記載のデータ伝送装置。
【請求項１４】
前記第１の決定モジュールはさらに、
前記信号エネルギー値が予め設定された閾値より小さくなく、かつ、前記第１のＳＡ情報が、予約されたリソースが存在しないことを示したとき、前記信号検出結果に基づき、前記第１のリソースサブ集合における利用可能なリソースと、前記第１のリソースとを、候補リソースとして決定し、前記候補リソースにおける利用可能なリソースを、前記リソース集合における前記利用可能なリソースとして決定するよう構成される、
請求項１３に記載のデータ伝送装置。
【請求項１５】
前記第１の検出モジュールはさらに、Ｕ番目（Ｕは１より大きいまたはそれに等しい整数）の第１のリソースサブ集合に対して信号検出を実行し、
前記Ｕ番目の第１のリソースサブ集合上で伝送された第２のＳＡ情報を取得し、
前記第２のＳＡ情報が予約されたリソースの存在を示しているかを決定し、
前記第２のＳＡ情報が予約されたリソースの存在を示したとき、前記予約されたリソースが属する第１のリソースサブ集合を決定し、
前記予約されたリソースが属する前記第１のリソースサブ集合に対して信号検出を実行する間に、前記予約されたリソースが属する前記第１のリソースサブ集合における、前記予約されたリソース以外のリソースに対して信号検出を実行するよう構成される、
請求項１に記載のデータ伝送装置。
【請求項１６】
デバイスツーデバイスデータ伝送方法であって、前記デバイスツーデバイスデータ伝送方法は、通信デバイスのために用いられ、
データ伝送のために用いられるリソース集合の第１のリソースサブ集合に対して、信号検出を実行する段階であって、前記信号検出が実行されるリソースが前記リソース集合より小さい、段階と、
信号検出結果に基づき、前記リソース集合における利用可能なリソースを決定する段階と、
前記利用可能なリソースからリソースを選択することによって伝送されるべきデータを伝送する段階と
を備える、
デバイスツーデバイスデータ伝送方法。
【請求項１７】
前記リソース集合は、Ｎ個の初期集合に分割され、各初期集合は、少なくとも１つのリソースサブ集合を含み、Ｎは、１より大きいまたはそれに等しい整数である、請求項１６に記載の方法。
【請求項１８】
各初期集合は、少なくとも２つの第１のリソースサブ集合を含み、
前記少なくとも２つの第１のリソースサブ集合の任意の２つの隣接する第１のリソースサブ集合間の時間領域間隔が等しい、請求項１７に記載の方法。
【請求項１９】
各初期集合は、少なくとも２つの第１のリソースサブ集合を含み、各初期集合における２つの隣接する第１のリソースサブ集合間の時間領域間隔が全て、等差数列である、請求項１７に記載の方法。
【請求項２０】
前記リソース集合は、少なくとも２つの第１のリソースサブ集合を含み、２つの隣接する第１のリソースサブ集合間の時間領域間隔が全て、等差数列である、請求項１６に記載の方法。
【請求項２１】
信号検出結果に基づき、前記リソース集合における利用可能なリソースを決定する前記段階は、
前記リソース集合の少なくとも１つの第２のリソースサブ集合を候補リソースとして決定する段階と、
前記信号検出結果に基づき、前記候補リソースにおける利用可能なリソースを、前記リソース集合における前記利用可能なリソースとして決定する段階とを含み、
各第２のリソースサブ集合と、前記第１のリソースサブ集合との間の時間領域間隔が、ターゲット周期の正の整数倍であり、前記ターゲット周期は、前記第１のリソースサブ集合の信号エネルギー値、または前記伝送されるべきデータの優先度に基づいて決定されるか、または、各第２のリソースサブ集合と前記第１のリソースサブ集合との間の時間領域間隔が予め設定された周期の正の整数倍である、請求項１６に記載の方法。
【請求項２２】
より大きい信号エネルギー値がより長いターゲット周期を示し、より小さい信号エネルギー値がより短いターゲット周期を示すか、または、
前記伝送されるべきデータのより高い優先度がより短いターゲット周期を示し、前記伝送されるべきデータのより低い優先度がより長いターゲット周期を示すか、または、
より大きい信号エネルギー値が前記第２のリソースサブ集合のより小さい時間領域長を示し、より小さい信号エネルギー値が前記第２のリソースサブ集合のより大きい時間領域長を示すか、または、
前記伝送されるべきデータのより高い優先度が前記第２のリソースサブ集合のより大きい時間領域長を示し、前記伝送されるべきデータのより低い優先度が前記第２のリソースサブ集合のより小さい時間領域長を示す、
請求項２１に記載の方法。
【請求項２３】
信号検出結果に基づき、前記リソース集合における利用可能なリソースを決定する前記段階は、
前記信号エネルギー値、または前記伝送されるべきデータの優先度に基づき、第１のパラメータＫを決定する段階であって、前記第１のパラメータＫは、ゼロより大きいまたはそれに等しい整数である、段階と、
前記第１のリソースサブ集合の少なくとも一方の側の第３のリソースサブ集合を候補リソースとして決定する段階であって、前記第３のリソースサブ集合は、Ｋ個の連続するサブフレームまたはＫ個の連続するシンボルからなり、前記第１のリソースサブ集合に隣接する、段階と、
前記信号検出結果に基づき、前記候補リソースにおける利用可能なリソースを、前記リソース集合における前記利用可能なリソースとして決定する段階とを含む、
請求項１６に記載の方法。
【請求項２４】
より大きい信号エネルギー値がより小さい第１のパラメータＫを示すか、または、
より小さい信号エネルギー値がより大きい第１のパラメータＫを示すか、または、
前記伝送されるべきデータのより高い優先度がより小さい第１のパラメータＫを示すか、または、
前記伝送されるべきデータのより低い優先度がより大きい第１のパラメータＫを示す、請求項２３に記載の方法。
【請求項２５】
信号検出結果に基づき、前記リソース集合における利用可能なリソースを決定する前記段階は、
予め設定された第１のパラメータＫを取得する段階であって、前記第１のパラメータＫは、ゼロより大きいまたはそれに等しい整数である、段階と、
前記第１のリソースサブ集合の少なくとも一方の側の第３のリソースサブ集合を、候補リソースとして決定する段階であって、前記第３のリソースサブ集合は、Ｋ個の連続するサブフレームまたはＫ個の連続するシンボルからなり、前記第１のリソースサブ集合に隣接する、段階と、
前記信号検出結果に基づき、前記候補リソースにおける利用可能なリソースを、前記リソース集合における前記利用可能なリソースとして決定する段階とを含む、請求項１６に記載の方法。
【請求項２６】
前記信号検出結果が前記第１のリソースサブ集合の信号エネルギー値であり、前記リソース集合における少なくとも１つの集合と、少なくとも１つの確率値との間の一対一の対応関係が、前記通信デバイス上で設定され、信号検出結果に基づき、前記リソース集合における利用可能なリソースを決定する前記段階は、
前記信号エネルギー値が予め設定された閾値より小さいとき、前記信号検出結果に基づき、前記第１のリソースサブ集合を、前記リソース集合における前記利用可能なリソースとして決定する段階か、または、前記信号エネルギー値が前記予め設定された閾値より小さくないとき、前記少なくとも１つの確率値から、利用可能な確率値として確率値を選択し、前記利用可能な確率値に対応する集合におけるリソースを候補リソースとして用いる段階と、
前記信号検出結果に基づき、前記候補リソースにおける利用可能なリソースを、前記リソース集合における前記利用可能なリソースとして決定する段階とを含む、請求項１６に記載の方法。
【請求項２７】
前記利用可能なリソースからリソースを選択することによって、伝送されるべきデータを伝送する前記段階は、
第１の利用可能なリソースから利用可能なリソースを選択することによって、第１の伝送されるべきデータを伝送する段階を含み、
前記利用可能なリソースからリソースを選択することによって、伝送されるべきデータを伝送した後に、前記方法はさらに、
（（Ｘ＋１）番目の伝送されるべきデータを伝送する間に、前記リソース集合における前記第１のリソースサブ集合に対して（Ｘ＋１）番目の信号検出を実行する段階であって、Ｘは、１より大きいまたはそれに等しい整数である、段階と、
前記（Ｘ＋１）番目の信号検出の信号検出結果と、最初のＸ個の伝送されるべきデータを伝送する間に実行される最初のＸ回の信号検出の信号検出結果のうち少なくとも１つとに基づき、前記リソース集合における第２の利用可能なリソースを決定する段階と、
前記第２の利用可能なリソースからリソースを選択することによって、前記（Ｘ＋１）番目の伝送されるべきデータを伝送する段階とを備える、請求項１６に記載の方法。
【請求項２８】
前記信号検出結果は、前記第１のリソースサブ集合の信号エネルギー値であり、データ伝送のために用いられるリソース集合の第１のリソースサブ集合に対して信号検出を実行する前記段階は、
第１のスケジューリング割当ＳＡ情報を取得する段階であって、前記第１のＳＡ情報は、データ伝送のために用いられる第１のリソースを示し、前記第１のリソースは、前記第１のリソースサブ集合に属する、段階と、
前記第１のＳＡ情報が予約されたリソースの存在を示しているかを決定する段階とを含み、
信号検出結果に基づき、前記リソース集合における利用可能なリソースを決定する前記段階は、
前記第１のＳＡ情報が、予約されたリソースが存在しないことを示したとき、前記第１のリソースを候補リソースとして決定する段階と、
前記信号検出結果に基づき、前記候補リソースにおける利用可能なリソースを、前記リソース集合における利用可能なリソースとして決定する段階とを含む、請求項１６に記載の方法。
【請求項２９】
前記第１のＳＡ情報が、予約されたリソースが存在しないことを示したとき、前記第１のリソースを候補リソースとして決定する前記段階は、
前記信号エネルギー値が予め設定された閾値より小さくなく、かつ、前記第１のＳＡ情報が、予約されたリソースが存在しないことを示したとき、前記第１のリソースサブ集合における利用可能なリソースと、前記第１のリソースとを、候補リソースとして決定し、前記信号検出結果に基づき、前記候補リソースにおける利用可能なリソースを、前記リソース集合における前記利用可能なリソースとして決定する段階を含む、請求項２８に記載の方法。
【請求項３０】
データ伝送のために用いられるリソース集合の第１のリソースサブ集合に対して信号検出を実行する前記段階は、
Ｕ番目の第１のリソースサブ集合に対して信号検出を実行する段階であって、Ｕは１より大きいまたはそれに等しい整数である、段階と、
前記Ｕ番目の第１のリソースサブ集合上で伝送された第２のＳＡ情報を取得する段階と、
前記第２のＳＡ情報が、予約されたリソースの存在を示しているかを決定する段階と、
前記第２のＳＡ情報が、予約されたリソースが存在することを示したとき、前記予約されたリソースが属する第１のリソースサブ集合を決定する段階と、
前記予約されたリソースが属する前記第１のリソースサブ集合に対して信号検出を実行する間に、前記予約されたリソースが属する前記第１のリソースサブ集合における、前記予約されたリソース以外のリソースに対して信号検出を実行する段階とを含む、請求項１６に記載の方法。
【請求項３１】
デバイスツーデバイスデータ伝送システムであって、前記データ伝送システムは、通信デバイスを備え、前記通信デバイスは、請求項１から１５のいずれか一項に記載のデータ伝送装置を含む、デバイスツーデバイスデータ伝送システム。
【発明の詳細な説明】
【技術分野】
【０００１】
本発明は、通信分野に関し、特に、デバイスツーデバイス、データ伝送方法、装置、およびシステムに関する。
【背景技術】
【０００２】
車車間通信（英語表記：Ｖｅｈｉｃｌｅ  ｔｏ  Ｖｅｈｉｃｌｅ、略してＶ２Ｖ）技術は、通信規格Ｒｅｌ−１４において開示されている通信技術である。Ｖ２Ｖ技術は、人々の生産および生活に広く応用されている。言い換えれば、車両（第１のデバイス）および別の車両（第２のデバイス）は、互いに通信できる。
【０００３】
関連技術において、Ｖ２Ｖ技術において、第１のデバイスが第２のデバイスと通信する必要があるとき、第１のデバイスはまず、予め設定された時間間隔において、データ伝送のために用いられるリソース集合全体に対して信号検出を実行する必要があり、信号検出結果に基づき、リソース集合いおける利用可能な伝送リソースを決定する。そして、第１のデバイスは、決定された利用可能な伝送リソース上で第２のデバイスへデータを伝送することができる。
【０００４】
通信技術の発展に伴い、車両歩行者間通信（英語表記：Ｖｅｈｉｃｌｅ−ｔｏ−Ｐｅｄｅｓｔｒｉａｎ、略してＶ２Ｐ）技術が現在、提案されている。車両およびハンドヘルドデバイスは、当該技術を用いることによって、互いに通信することができる。現在、Ｖ２Ｖ技術と同一の通信原理は、Ｖ２Ｐ技術のために用いられる。しかしながら、Ｖ２Ｐ技術において、ハンドヘルドデバイスが、データを送信する前に、データ伝送のために用いられるリソース集合全体に対して信号検出も実行する場合、ハンドヘルドデバイスは、比較的大量のエネルギーを消費する必要があり、その結果、ハンドヘルドデバイスの比較的長期通常使用を保証することができない。
【発明の概要】
【０００５】
ハンドヘルドデバイスの比較的長期通常使用を保証できないという課題を解決するために、本発明は、デバイスツーデバイス、データ伝送方法、装置、およびシステムを提供する。技術的解決手段は以下の通りである。
【０００６】
第１の態様によれば、デバイスツーデバイスデータ伝送方法が提供され、当該デバイスツーデバイスデータ伝送方法は、通信デバイスのために用いられ、データ伝送のために用いられるリソース集合の第１のリソースサブ集合に対して信号検出を実行する段階であって、信号検出が実行されるリソースがリソース集合より小さい、段階と、信号検出結果に基づき、リソース集合における利用可能なリソースを決定する段階と、利用可能なリソースからリソースを選択することによって伝送されるべきデータを伝送する段階とを備える。
【０００７】
伝送されるべきデータが伝送される前に、信号検出は、リソース集合全体の第１のリソースサブ集合のみに対して実行され、リソース集合における利用可能なリソースは、信号検出結果に基づいて決定されことができ、データ伝送の間に、伝送されるべきデータは、利用可能なリソースからリソースを直接選択することによって伝送されることができる。言い換えれば、本発明の本実施形態において、通信デバイスは、伝送のために用いられるリソース集合全体に対して検出を実行せず、これにより、通信デバイスは、検出の間に比較的大量のエネルギーを消費する必要がない。従って、通信デバイスがハンドヘルドデバイスであるとき、ハンドヘルドデバイスの比較的長期通常使用を保証することができる。
【０００８】
任意選択に、リソース集合は、Ｎ個の初期集合に分割され、各初期集合は、少なくとも１つのリソースサブ集合を含み、Ｎは、１より大きいまたはそれに等しい整数である、任意選択に、各初期集合は、少なくとも２つの第１のリソースサブ集合を含み、少なくとも２つの第１のリソースサブ集合の任意の２つの隣接する第１のリソースサブ集合間の時間領域間隔が等しい。任意選択に、各初期集合は、少なくとも２つの第１のリソースサブ集合を含み、各初期集合における２つの隣接する第１のリソースサブ集合間の時間領域間隔が全て、等差数列である。任意選択に、リソース集合は、少なくとも２つの第１のリソースサブ集合を含み、２つの隣接する第１のリソースサブ集合間の時間領域間隔が全て、等差数列である。
【０００９】
任意選択に、リソース集合は、Ｎ個の初期集合に分割され、Ｎが２より大きい、またはそれに等しい整数であるとき、任意の２つの初期集合の時間領域サイズが同じ又は異なる。
【００１０】
本発明は、リソース集合における第１のリソースサブ集合の４つの分布状態の例を列挙する。実際の応用において、第１のリソースサブ集合の別の分布状態が存在し得て、本発明は、それに対して限定しない。前述の４つの分布状態において、全ての第１のリソースサブ集合の和がリソース集合より小さいので、関連技術におけるリソース集合全体に対する検出と比べて、検出範囲は大幅に低減され、検出速度が向上し、検出により必要とされる消費エネルギーが低減される。
【００１１】
任意選択に、信号検出結果に基づき、リソース集合における利用可能なリソースを決定する段階は、リソース集合の少なくとも１つの第２のリソースサブ集合を、候補リソースとして決定する段階と、信号検出結果に基づき、候補リソースにおける利用可能なリソースをリソース集合における利用可能なリソースとして決定する段階とを備え、各第２のリソースサブ集合と第１のリソースサブ集合との間の時間領域間隔が、ターゲット周期の正の整数倍であり、ターゲット周期は、第１のリソースサブ集合の信号エネルギー値、または伝送されるべきデータの優先度に基づいて決定されるか、または、各第２のリソースサブ集合と第１のリソースサブ集合との間の時間領域間隔が、予め設定された周期の正の整数倍である。任意選択に、より大きい信号エネルギー値がより長いターゲット周期を示し、より小さい信号エネルギー値がより短いターゲット周期を示すか、または、伝送されるべきデータのより高い優先度がより短いターゲット周期を示し、伝送されるべきデータのより低い優先度がより長いターゲット周期を示すか、または、より大きい信号エネルギー値は、第２のリソースサブ集合のより小さい時間領域長を示し、より小さい信号エネルギー値がより大きい第２のリソースサブ集合の時間領域長を示すか、または、伝送されるべきデータのより高い優先度が第２のリソースサブ集合のより大きい時間領域長を示し、伝送されるべきデータのより低い優先度が第２のリソースサブ集合のより小さい時間領域長を示す。
【００１２】
具体的に、第１のリソースサブ集合のより大きい信号エネルギー値が第１のリソースサブ集合において占有されているリソースがより多いこと、第１のリソースサブ集合に近いリソースを占有する可能性がより高いこと、および、第１のリソースサブ集合から遠く離れているリソースを占有する可能性がより低いことを示す。従って、第１のリソースサブ集合の信号エネルギー値に基づいてターゲット周期を決定する間に、第１のリソースサブ集合の信号エネルギー値がより大きい場合、より長いターゲット周期が決定され得て、第２のリソースサブ集合の長さがより短く、これにより、決定された候補リソースにおいて、比較的大きい数の第１の利用可能なリソースが存在することを保証する。
【００１３】
任意選択に、信号検出結果に基づき、リソース集合における利用可能なリソースを決定する段階は、信号エネルギー値または伝送されるべきデータの優先度に基づき、第１のパラメータＫを決定する段階であって、第１のパラメータＫは、ゼロより大きいまたはそれに等しい整数である、段階と、第１のリソースサブ集合の少なくとも一方の側上の第３のリソースサブ集合を候補リソースとして決定する段階であって、第３のリソースサブ集合は、Ｋ個の連続するサブフレームまたはＫ個の連続するシンボルを含み、第１のリソースサブ集合に隣接する、段階と、信号検出結果に基づき、候補リソースにおける利用可能なリソースを、リソース集合における利用可能なリソースとして決定する段階とを含む。任意選択に、より大きい信号エネルギー値がより小さい第１のパラメータＫを示すか、または、より小さい信号エネルギー値がより大きい第１のパラメータＫを示すか、または、伝送されるべきデータのより高い優先度がより小さい第１のパラメータＫを示すか、または、伝送されるべきデータのより低い優先度がより大きい第１のパラメータＫを示す。
【００１４】
具体的には、第１のリソースサブ集合のより大きい信号エネルギー値が第１のリソースサブ集合において占有されるリソースがより多いこと、第１のリソースサブ集合に近リソースを占有する可能性がより高いこと、および第１のリソースサブ集合から遠く離れるリソースを占有する可能性がより低いことを示す。従って、第１のリソースサブ集合の信号エネルギー値に基づき、ターゲット周期を決定する間に、第１のリソースサブ集合の信号エネルギー値がより大きい場合、より小さい第１のパラメータＫが決定され得て、第１のリソースサブ集合の信号エネルギー値がより小さい場合、より大きい第１のパラメータＫが決定される。これにより、決定された候補リソースにおいて比較的数の大きい第１の利用可能なリソースが存在することが保証される。
【００１５】
任意選択に、信号検出結果に基づき、リソース集合における利用可能なリソースを決定する段階は、予め設定された第１のパラメータＫを取得する段階であって、第１のパラメータＫはゼロより大きいまたはそれに等しい整数である、段階と、第１のリソースサブ集合の少なくとも一方の側上の第３のリソースサブ集合を候補リソースとして決定する段階であって、第３のリソースサブ集合は、Ｋ個の連続するサブフレーム、またはＫ個の連続するシンボルを含み、第１のリソースサブ集合に隣接する、段階と、信号検出結果に基づき、候補リソースにおける利用可能なリソースをリソース集合における利用可能なリソースとして決定する段階とを含む。言い換えれば、第１のパラメータＫは代わりに、基地局、または別の上位層により通信デバイスのために直接設定され得るが、本発明は、それらに対して限定しない。
【００１６】
任意選択に、信号検出結果は、第１のリソースサブ集合の信号エネルギー値であり、リソース集合における少なくとも１つの集合と、少なくとも１つの確率値との間の一対一の対応関係が、通信デバイス上で設定され、信号検出結果に基づき、リソース集合における利用可能なリソースを決定する段階は、信号エネルギー値が予め設定された閾値より小さいとき、信号検出結果に基づき、第１のリソースサブ集合をリソース集合における利用可能なリソースとして決定する段階、または、信号エネルギー値が予め設定された閾値より小さくないとき、少なくとも１つの確率値から確率値を利用可能な確率値として選択し、利用可能な確率値に対応する集合におけるリソースを候補リソースとして用いる段階、および信号検出結果に基づき、候補リソースにおける利用可能なリソースをリソース集合における利用可能なリソースとして決定する段階を含む。
【００１７】
任意選択に、利用可能なリソースからリソースを選択することによって伝送されるべきデータを伝送する段階は、第１の利用可能なリソースから利用可能なリソースを選択することによって第１の伝送されるべきデータを伝送する段階を含み、利用可能なリソースからリソースを選択することによって伝送されるべきデータを伝送した後に、方法はさらに、（Ｘ＋１）番目の伝送されるべきデータを伝送する間に、リソース集合における第１のリソースサブ集合に対して（Ｘ＋１）番目の信号検出を実行する段階であって、Ｘは１より大きいまたはそれに等しい整数である、段階と、（Ｘ＋１）番目の信号検出の信号検出結果と、最初のＸ個の伝送されるべきデータを伝送する間に実行される最初のＸ回の信号検出のうち少なくとも１つの信号検出結果とに基づき、リソース集合における第２の利用可能なリソースを決定する段階と、第２の利用可能なリソースからリソースを選択することによって（Ｘ＋１）番目の伝送されるべきデータを伝送する段階とを備える。
【００１８】
言い換えれば、毎回、利用可能なリソースを決定する間に、利用可能なリソースは、前の検出結果を参照して決定されて得て、これにより、前の検出結果は、今回の利用可能なリソースを決定するために参照として機能し得る。それにより、今回決定される利用可能なリソースの正確性を向上させる。
【００１９】
任意選択に、信号検出結果は、第１のリソースサブ集合の信号エネルギー値であり、データ伝送のために用いられるリソース集合の第１のリソースサブ集合に対して信号検出を実行する段階は、第１のスケジューリング割当ＳＡ情報を取得する段階であって、第１のＳＡ情報は、データ伝送のために用いられる第１のリソースを示し、第１のリソースは、第１のリソースサブ集合に属する、段階と、第１のＳＡ情報が予約されたリソースの存在を示すかを決定する段階を含み、信号検出結果に基づき、リソース集合における利用可能なリソースを決定する段階は、第１のＳＡ情報が、予約されたリソースが存在しないことを示したとき、第１のリソースを候補リソースとして決定する段階と、信号検出結果に基づき、候補リソースにおける利用可能なリソースをリソース集合における利用可能なリソースとして決定する段階とを含む。
【００２０】
任意選択に、第１のＳＡ情報が予約されたリソースが存在しないことを示したとき、第１のリソースを候補リソースとして決定する段階は、信号エネルギー値が予め設定された閾値より小さくなく、かつ、第１のＳＡ情報が、予約されたリソースが存在しないことを示したとき、第１のリソースサブ集合における利用可能なリソースと、第１のリソースとを候補リソースとして決定し、信号検出結果に基づき、候補リソースにおける利用可能なリソースをリソース集合における利用可能なリソースとして決定する段階を含む。
【００２１】
言い換えれば、第１のＳＡ情報が、予約されたリソースが存在しないことを示したとき、通信デバイスは、第１のリソースを候補リソースとして直接決定して、信号検出結果に基づき、候補リソースにおける利用可能なリソースをリソース集合における第１の利用可能なリソースとして決定し得る。
【００２２】
任意選択に、データ伝送のために用いられるリソース集合の第１のリソースサブ集合に対して信号検出を実行する段階は、Ｕ番目の第１のリソースサブ集合に対して信号検出を実行する段階であって、Uは１より大きいまたはそれに等しい整数である、段階と、Ｕ番目の第１のリソースサブ集合上で伝送された第２のＳＡ情報を取得する段階と、第２のＳＡ情報が予約されたリソースの存在を示すかを決定する段階と、第２のＳＡ情報が予約されたリソースの存在を示したとき、予約されたリソースが属する第１のリソースサブ集合を決定する段階と、予約されたリソースが属する第１のリソースサブ集合に対して信号検出を実行する間に、予約されたリソースが属する第１のリソースサブ集合における、予約されたリソース以外のリソースに対して信号検出を実行する段階とを含む。
【００２３】
言い換えれば、検出されるべき第１のリソースサブ集合が予約されたリソースを含むと決定されたとき、デフォルトでは、信号検出が第１のリソースサブ集合に対して実行されるとき、予約されたリソースの信号エネルギー値が比較的大きい場合、予約されたリソースが利用不可なリソースであるとみなされ得る。信号検出に含まれるリソースの数はさらに減少し、データ伝送の間に通信デバイスが消費する必要のあるエネルギーが低減される。
【００２４】
第２の態様によれば、デバイスツーデバイスデータ伝送方法が提供され、当該デバイスツーデバイスデータ伝送方法は、通信デバイスのために用いられ、伝送リソースに対して信号検出を実行する段階であって、伝送リソースがデータ伝送のために用いられるリソース集合であるか、または、伝送リソースは、リソース集合における第１のリソースサブ集合である、段階と、第２のリソースおよび第３のリソースを第１の候補リソースとして決定する段階であって、第２のリソースは、伝送リソースにあり、かつ、ＳＡ情報が問題なく復号されていないリソースであり、第３のリソースは、伝送リソースにあり、ＳＡ情報が問題なく復号され、かつ、信号エネルギー値が対応する予め設定された閾値より小さいリソースである、段階と、第１の候補リソースが伝送リソースのＬ倍より大きいかを決定する段階であって、Ｌは第１の数値より小さい、段階と、第１の候補リソースが伝送リソースのＬ倍より大きいとき、第１の候補リソースから利用可能なリソースを選択することによって伝送されるべきデータを伝送する段階とを備える。任意選択に、第１の数値は、０．２に等しい。
【００２５】
伝送されるべきデータが伝送される前に、第１の候補リソースが伝送リソースのＬ倍より大きいかが決定されるとき、Ｌは、関連技術における０．２より小さく、すなわち、Ｌは、関連技術における２０％より小さい。従って、第１の候補リソースが伝送リソースのＬ倍より大きいという要求が大いに改善され、第１の候補リソースが伝送リソースのＬ倍より大きくないとき、閾値を調整して候補リソースを再決定する段階を実行する確率が低減される。従って、データ伝送プロセスにおいて実行される必要がある段階が減少し、通信デバイスの消費エネルギーが低減され、通信デバイスがハンドヘルドデバイスであるとき、ハンドヘルドデバイスの比較的長期通常使用を保証することができる。
【００２６】
第３の態様によれば、デバイスツーデバイスデータ伝送方法が提供され、当該デバイスツーデバイスデータ伝送方法は、通信デバイスのために用いられ、伝送リソースに対して信号検出を実行する段階であって、伝送リソースがデータ伝送のために用いられるリソース集合であるか、または、伝送リソースはリソース集合における第１のリソースサブ集合である、段階と、第２のリソースおよび第３のリソースを第１の候補リソースとして決定する段階であって、第２のリソースは、伝送リソースにあり、かつ、ＳＡ情報が問題なく復号されていないリソースであり、第３のリソースは、伝送リソースにあり、かつ、ＳＡ情報が問題なく復号されておらず、信号エネルギー値が対応する予め設定された閾値より小さいリソースである、段階と、第１の候補リソースが伝送リソースのＬ倍より大きいかを決定する段階であって、Ｌは第１の数値に等しい、段階と、第１の候補リソースが伝送リソースのＬ倍より大きいとき、第１の候補リソースから利用可能なリソースを選択することによって伝送されるべきデータを伝送する段階と、第１の候補リソースが伝送リソースのＬ倍より大きくないとき、各第３のリソースに対応する予め設定された閾値をＭだけ増加し、各第３のリソースに対応するターゲット閾値を取得する段階であって、Ｍは、第２の数値より大きい、段階と、ＳＡ情報が問題なく復号され、信号エネルギー値が対応するターゲット閾値より小さい第２のリソースおよび第３のリソースを第２の候補リソースとして決定する段階と、第２の候補リソースが伝送リソースのＬ倍より大きかを決定する段階と、第２の候補リソースが伝送リソースのＬ倍より大きいとき、第２の候補リソースから利用可能なリソースを選択することによって伝送されるべきデータを伝送する段階とを備える。任意選択に、Ｌは０．２に等しく、第２の数値は、３  ｄＢに等しい。
【００２７】
Ｍが関連技術における３  ｄＢの段階値より大きいので、再決定された第２の候補リソースが伝送リソースのＬ倍より大きいという要求が大いに改善され、データ伝送プロセスにおいて実行される必要がある段階が減少し、通信デバイスの消費エネルギーが低減される。従って、通信デバイスがハンドヘルドデバイスであるとき、ハンドヘルドデバイスの比較的長期通常使用を保証することができる。
【００２８】
第４の態様によれば、デバイスツーデバイスデータ伝送方法が提供され、当該デバイスツーデバイスデータ伝送方法は、通信デバイスのために用いられ、予約情報を決定する段階であって、予約情報は、伝送されるべきデータの利用可能な周波数領域リソースが少なくとも２回予約されることを示す、段階と、予約情報に基づき、伝送されるべきデータを伝送する段階とを備える。
【００２９】
予約情報が、伝送されるべきデータの利用可能な周波数領域リソースが少なくとも２回予約されることを示すために用いられ得ることが留意されたい。関連技術において、Ｖ−ＵＥにより送信されるＳＡ情報は単に、伝送されるべきデータの利用可能な周波数領域リソースが一度予約されたことを示すために用いられることができる。しかしながら、Ｐ−ＵＥに対して、消費電力を低減し、データの伝送複雑性を低減するために、Ｐ−ＵＥのリソース予約回数の数は、少なくとも２回、例えば、５回に設定されてよい。このように、Ｐ−ＵＥは、現在の選択された周波数領域リソース上で５つのデータパケットを連続して送信することができる。
【００３０】
第５の態様によれば、デバイスツーデバイスデータ伝送方法が提供され、当該デバイスツーデバイスデータ伝送方法は、通信デバイスのために用いられ、予約情報を決定する段階であって、予約情報は、予約周期長の因子を示す、段階と、予約情報に基づき、伝送されるべきデータを伝送する段階とを備える。予約周期長は、第３の数値より大きい。任意選択に、第３の数値は、車車間通信Ｖ２Ｖ技術における予約周期長に等しい。言い換えれば、Ｐ−ＵＥ消費電力を低減する目的は、予約周期長を増加させるために実現される。
【００３１】
任意選択に、予約情報は、スケジューリング割当ＳＡ情報を用いることによって示されるか、または、予約情報は、ＲＲＣシグナリングを用いることによって示されるか、または、予約情報は、基地局、もしくは上位層により通信デバイスのために設定される。
【００３２】
任意選択に、予約周期長の因子は、パラメータｉを含み、ｉは、第４の数値より大きい、またはそれに等しい。ＳＡ情報における第１のビットシグナリングおよび第２のビットシグナリングのうち少なくとも１つは、パラメータｉを示し、第１のビットシグナリングは、Ｖ２Ｖ技術におけるＳＡ情報における、パラメータｉを示すビットシグナリングであり、第２のビットシグナリングは、ＳＡ情報における予約されたビットシグナリングに属する。任意選択に、第４の数値は、１０に等しい。
【００３３】
任意選択に、予約周期長の因子は、パラメータＰを含み、Ｐは、第５の数値より大きい、またはそれに等しい。ＳＡ情報またはＲＲＣシグナリングは、パラメータＰを示し、異なる優先度を有する伝送されるべきデータのＳＡ情報におけるパラメータＰが異なり、または、異なるタイプの通信デバイスの伝送されるべきデータのＳＡ情報におけるパラメータＰは、異なり、通信デバイスは、Ｐ−ＵＥおよびＶ−ＵＥを含む。第５の数値は、１００に等しい。
【００３４】
任意選択に、予約周期長の因子は、パラメータＱを含み、通信デバイスは、Ｐ−ＵＥおよびＶ−ＵＥを含み、Ｐ−ＵＥの伝送されるべきデータのパラメータＱは、１より大きく、Ｖ−ＵＥの伝送されるべきデータのパラメータＱは、１に等しい。
【００３５】
第６の態様によれば、デバイスツーデバイスデータ伝送方法が提供され、当該デバイスツーデバイスデータ伝送方法は、通信デバイスのために用いられ、予約情報を決定する段階であって、予約情報が予約周期長の因子を示す、段階と、予約情報に基づき、伝送されるべきデータを伝送する段階とを備える。
【００３６】
任意選択に、予約周期長の因子は、パラメータｉを含み、ｉは、０より大きく、１より小さい。ＳＡ情報における第１のビットシグナリングおよび第２のビットシグナリングのうち少なくとも１つは、パラメータｉを示し、第１のビットシグナリングは、Ｖ２Ｖ技術におけるＳＡ情報における、パラメータｉを示すビットシグナリングであり、第２のビットシグナリングは、ＳＡ情報における予約されたビットシグナリングに属する。
【００３７】
任意選択に、予約周期長の因子は、パラメータＰを含み、Ｐは、１００より小さい。ＳＡ情報またはＲＲＣシグナリングは、パラメータＰを示す。任意選択に、パラメータＰは、伝送されるべきデータの優先度に関連するか、または、パラメータＰは、伝送されるべきデータのサービス周期に関連するか、または、パラメータＰは、伝送されるべきデータの伝送遅延に関連する。
【００３８】
任意選択に、予約周期長の因子は、パラメータＱを含み、Ｑは、０より大きく、１より小さい。
【００３９】
任意選択に、予約情報は、スケジューリング割当ＳＡ情報を用いることによって示されるか、または予約情報は、ＲＲＣシグナリングを用いることによって示されるか、または、予約情報は、基地局または上位層により通信デバイスのために設定される。
【００４０】
第７の態様によれば、デバイスツーデバイスデータ伝送方法が提供され、当該デバイスツーデバイスデータ伝送方法は、通信デバイスのために用いられ、伝送リソースに対して信号検出を実行する段階であって、伝送リソースは、データ伝送のために用いられるリソース集合であるか、または、伝送リソースは、リソース集合における第１のリソースサブ集合である、段階と、第２のリソースおよび第３のリソースを第１の候補リソースとして決定する段階であって、第２のリソースは、伝送リソースにあり、かつ、ＳＡ情報が問題なく復号されていないリソースであり、第３のリソースは、伝送リソースにあり、ＳＡ情報が問題なく復号され、信号エネルギー値が対応する予め設定された閾値より小さいリソースである、段階と、第１の候補リソースが伝送リソースのＬ倍より大きいかを決定する段階であって、Ｌは、第１の数値に等しい、段階と、第１の候補リソースが伝送リソースのＬ倍より大きいとき、第１の候補リソースからリソースを選択することによって伝送されるべきデータを伝送する段階と、再選択条件が満たされたかを決定する段階と、再選択条件が満たされたとき、第１の候補リソースからリソースを再選択することによって伝送されるべきデータを伝送する段階とを備える。任意選択に、再選択条件が満たされたかを決定する段階は、伝送されるべきデータの伝送期間が予め設定された周期より大きいか、またはそれに等しいかを決定する段階と、伝送期間が予め設定された周期より小さいとき、再選択条件が満たされていないと決定する段階、または、伝送期間が予め設定された周期より大きいか、またはそれに等しいとき、少なくとも１つの予め設定された再選択確率値から確率値をターゲット再選択確率値として選択し、ターゲット再選択確率値に基づき、再選択条件が満たされたかを決定する段階とを含む。任意選択に、Ｌは、０．２に等しい。予め設定された範囲が、［０，０．８］であり、第６の数値が０であり、第７の数値が５である。
【００４１】
任意選択に、少なくとも１つの予め設定された再選択確率値の値範囲は、予め設定された範囲内である。
【００４２】
任意選択に、少なくとも１つの予め設定された再選択確率値における最小の確率値は、第６の数値より大きい。
【００４３】
任意選択に、予め設定された再選択確率値の数が、第７の数値より小さい。
【００４４】
少なくとも１つの予め設定された再選択確率値の値範囲は、［０，０．８］内であり、少なくとも１つの予め設定された再選択確率値における最小の確率値は、０より大きく、予め設定された再選択確率値の数は、５より小さい。言い換えれば、リソース再選択をスキップする確率が増加し、リソース再選択の確率が低減される。従って、データ伝送プロセスにおいてハンドヘルドデバイスにより実行される必要がある段階が減少し、ハンドヘルドデバイスの消費エネルギーが低減される。
【００４５】
第８の態様によれば、デバイスツーデバイスデータ伝送方法が提供され、当該デバイスツーデバイスデータ伝送方法は、通信デバイスのために用いられ、段階と、１秒より大きい時間間隔で伝送リソースに対して信号検出を実行する段階であって、伝送リソースは、データ伝送のために用いられるリソース集合であるか、または、伝送リソースは、リソース集合における第１のリソースサブ集合である、段階と、第２のリソースおよび第３のリソースを第１の候補リソースとして決定する段階であって、第２のリソースは、伝送リソースにあり、かつＳＡ情報が問題なく復号されていないリソースであり、第３のリソースは、伝送リソースにあり、ＳＡ情報が問題なく復号され、かつ、信号エネルギー値が対応する予め設定された閾値より小さいリソースである、段階と、第１の候補リソースが伝送リソースのＬ倍より大きいかを決定する段階であって、Ｌは、第１の数値に等しい、段階と、第１の候補リソースが伝送リソースのＬ倍よりより大きいとき、第１の候補リソースから利用可能なリソースを選択することによって伝送されるべきデータを伝送する段階とを備える。任意選択に、Ｌは、０．２に等しい。
【００４６】
関連技術において、伝送リソース検出のための（検知窓とも称される）時間間隔の時間領域長が１秒である。Ｐ−ＵＥは、より大きいデータパケット伝送周期、およびより低い伝送頻度を有する。従って、データ伝送信頼度を保証するために、Ｐ−ＵＥの検知窓の長さはこれに応じて、より大きくなり、例えば、１秒より大きくなり、これにより、Ｐ−ＵＥは、より多くのリソースに対してリソース検出および選択を実行することができ、それにより、データ伝送信頼度を保証する。
【００４７】
第９の態様によれば、デバイスツーデバイスデータ伝送方法が提供され、当該デバイスツーデバイスデータ伝送方法は、通信デバイスのために用いられ、伝送リソースに対して信号検出を実行する段階であって、伝送リソースは、データ伝送のために用いられるリソース集合であるか、または、伝送リソースは、リソース集合における第１のリソースサブ集合である、段階と、第２のリソースおよび第３のリソースを第１の候補リソースとして決定する段階であって、第２のリソースは、伝送リソースにあり、かつ、ＳＡ情報が問題なく復号されていないリソースであり、第３のリソースは、伝送リソースにあり、ＳＡ情報が問題なく復号され、かつ、信号エネルギー値が対応する予め設定された閾値より小さいリソースである、段階と、第１の候補リソースが伝送リソースのＬ倍より大きかを決定する段階であって、Ｌは、第１の数値に等しい、段階と、第１の候補リソースが伝送リソースのＬ倍より大きいとき、第１の候補リソースから利用可能なリソースを選択することによって伝送されるべきデータを伝送する段階とを備える。少なくとも２つのデータ優先度のうち任意の２つに対応する検出エネルギー閾値が、通信デバイス上で設定され、リソースに対応する予め設定された閾値は、リソース上で伝送されているデータの優先度と、伝送されるべきデータの優先度とに対応する検出エネルギー閾値であり、通信デバイスは、Ｐ−ＵＥおよびＶ−ＵＥを含み、Ｐ−ＵＥの伝送されるべきデータの優先度は、Ｖ−ＵＥの伝送されるべきデータの優先度より高い、またはそれに等しい。Ｐ−ＵＥの第１の伝送されるべきデータの優先度は、第１の優先度であり、Ｖ−ＵＥの第２の伝送されるべきデータの優先度が第２の優先度であり、第３の優先度は、第１の優先度および第２の優先度と異なり、第１の優先度および第３の優先度は、第１の検出エネルギー閾値に対応し、第２の優先度および第３の優先度は、第２の検出エネルギー閾値に対応し、第１の検出エネルギー閾値は、第２の検出エネルギー閾値より大きい、またはそれに等しい。任意選択に、Ｌは、０．２に等しい。
【００４８】
Ｐ−ＵＥの伝送されるべきデータの優先度は、Ｖ−ＵＥの伝送されるべきデータの優先度より高く、第１の検出エネルギー閾値は、第２の検出エネルギー閾値より大きい。従って、Ｐ−ＵＥにより決定される利用可能なリソースのサイズが増大し、利用可能なリソースが存在することを決定する確率が増加し、データ伝送効率が低減され、Ｐ−ＵＥの消費エネルギーが低減される。
【００４９】
任意選択に、伝送されるべきデータのＳＡ情報は、通信デバイスのタイプを示し、全てのＰ−ＵＥの伝送されるべきデータの優先度は、同一であり、全て、任意のＶ−ＵＥの伝送されるべきデータの優先度より高く、第１の検出エネルギー閾値は、第２の検出エネルギー閾値より大きい。
【００５０】
任意選択に、伝送されるべきデータのＳＡ情報は、それぞれの伝送されるべきデータの優先度を示し、それぞれのタイプの伝送されるべきデータの優先度は異なり、各Ｐ−ＵＥの伝送されるべきデータの優先度は、任意のＶ−ＵＥの伝送されるべきデータの優先度より高く、第１の検出エネルギー閾値は、第２の検出エネルギー閾値より大きい。
【００５１】
任意選択に、伝送されるべきデータのＳＡ情報は、それぞれの伝送されるべきデータの優先度を示し、第１のＰ−ＵＥの伝送されるべきデータの優先度は、Ｖ−ＵＥの伝送されるべきデータの優先度と同一であり、第２のＰ−ＵＥの伝送されるべきデータの優先度は、Ｖ−ＵＥの伝送されるべきデータの優先度より高く、第１のＰ−ＵＥの伝送されるべきデータの優先度が第１の優先度であるとき、第１の検出エネルギー閾値は、第２の検出エネルギー閾値に等しく、第２のＰ−ＵＥの伝送されるべきデータの優先度が第１の優先度であるとき、第１の検出エネルギー閾値は、第２の検出エネルギー閾値より大きい。
【００５２】
任意選択に、伝送されるべきデータのＳＡ情報は、それぞれの伝送されるべきデータの優先度を示し、それぞれの伝送されるべきデータのタイプは異なり、Ｐ−ＵＥの伝送されるべきデータのタイプがＶ−ＵＥの伝送されるべきデータのタイプと同一であるとき、Ｐ−ＵＥの伝送されるべきデータの優先度は、Ｖ−ＵＥの伝送されるべきデータの優先度より高い。
【００５３】
第１０の態様によれば、デバイスツーデバイスデータ伝送方法が提供され、当該デバイスツーデバイスデータ伝送方法は、通信デバイスのために用いられ、伝送リソースに対して信号検出を実行する段階であって、伝送リソースがデータ伝送のために用いられるリソース集合であるか、または伝送リソースがリソース集合における第１のリソースサブ集合である、段階と、第２のリソースおよび第３のリソースを第１の候補リソースとして決定する段階であって、第２のリソースは、伝送リソースにあり、かつ、ＳＡ情報が問題なく復号されていないリソースであり、第３のリソースは、伝送リソースにあり、ＳＡ情報が問題なく復号され、かつ、信号エネルギー値が対応する予め設定された閾値より小さいリソースである、段階と、第１の候補リソースが伝送リソースのＬ倍より大きいかを決定する段階であって、Ｌは、第１の数値に等しい、段階と、第１の候補リソースは、伝送リソースのＬ倍より大きいとき、第１の利用可能なリソースから利用可能なリソースを選択することによってＹ回の反復で伝送されるべきデータを伝送する段階であって、Ｙは、第８の数値より大きい、段階とを備える。任意選択に、Ｌは０．２に等しく、第８の数値は、２に等しい。
【００５４】
言い換えれば、本発明の本実施形態において、反復の数は、関連技術における２より大きい。従って、データ伝送信頼度はさらに向上することができる。
【００５５】
任意選択に、Ｙ番目の反復前の各反復中に、現在の反復と次の反復との間の時間間隔がＳＡ情報に示され、Ｙ番目の反復中に、Ｙ番目の反復と、Ｙ番目の反復の前の少なくとも１つの反復との間の時間間隔が、ＳＡ情報に示される。
【００５６】
任意選択に、Ｙ回の反復は、Ｚ個のグループの反復にグループ化され、Ｚは、２より大きい、またはそれに等しい整数であり、各グループの反復の数は、１より大きい、またはそれに等しく、各グループの反復において、最後の反復ではない各反復中に、現在の反復と次の反復との間の時間間隔がＳＡ情報に示され、最後の反復中に、最後の反復と最後の反復の前の少なくとも１つの反復との間の時間間隔、および、最後の反復と次のグループの反復における１番目の反復との間の時間間隔がＳＡ情報に示される。
【００５７】
任意選択に、Ｙ回の反復は、Ｚ個のグループの反復にグループ化され、Ｚは２より大きい、またはそれに等しい整数であり、各グループにおける反復の数は、１より大きい、またはそれに等しく、各グループの反復において、最後の反復ではない各反復中に、現在の反復と次の反復との間の時間間隔が、ＳＡ情報に示され、最後の反復中に、最後の反復と、最後の反復の前の少なくとも１つの反復との間の時間間隔がＳＡ情報に示され、第１グループの反復ではない各グループの反復において、１番目の反復中に、１番目の反復と、前のグループの反復における最後の反復との間の時間間隔がＳＡ情報に示され、最後のグループの反復ではない各グループの反復において、最後の反復中に、最後の反復と、次のグループの反復における１番目の反復との間の時間間隔がＳＡ情報に示される。
【００５８】
任意選択に、２つの隣接するグループの反復毎の間の時間間隔が、基地局により通信デバイスのために設定されるか、または、ＲＲＣシグナリングは、２つの隣接するグループの反復毎の間の時間間隔を示す。
【００５９】
第２の態様から第１０の態様は、ランダムに統合されてよく、統合後の態様の有益な効果については、統合された複数の態様の有益な効果を参照されたいことに留意されたく、本発明の本実施形態において、詳細はここでは説明されない。
【００６０】
第１１の態様によれば、デバイスツーデバイスデータ伝送装置が提供され、当該デバイスツーデバイスデータ伝送装置は、通信デバイスのために用いられ、少なくとも１つのモジュールを備え、当該少なくとも１つのモジュールは、第１の態様もしくは第１の態様の可能な実現方式のうち任意の１つにおけるデータ伝送方法、または、第２の態様もしくは第２の態様の可能な実現方式のうち任意の１つにおけるデータ伝送方法、または、第３の態様もしくは第３の態様の可能な実現方式のうち任意の１つにおけるデータ伝送方法、または、第４の態様もしくは第４の態様の可能な実現方式のうち任意の１つにおけるデータ伝送方法、または、第５の態様もしくは第５の態様の可能な実現方式のうち任意の１つにおけるデータ伝送方法、または、第６の態様もしくは第６の態様の可能な実現方式のうち任意の１つにおけるデータ伝送方法、または、第７の態様または第７の態様の可能な実現方式のうち任意の１つにおけるデータ伝送方法、または、第８の態様もしくは第８の態様の可能な実現方式のうち任意の１つにおけるデータ伝送方法、または、第９の態様もしくは第９の態様の可能な実現方式のうち任意の１つにおけるデータ伝送方法、または、第１０の態様もしくは第１０の態様の可能な実現方式のうち任意の１つにおけるデータ伝送方法を実現するよう構成される。
【００６１】
第１２の態様によれば、デバイスツーデバイスデータ伝送装置が提供され、当該デバイスツーデバイスデータ伝送装置は、通信デバイスのために用いられ、少なくとも１つのプロセッサと、少なくとも１つのネットワークインタフェースと、メモリと、少なくとも１つのバスとを備え、メモリおよびネットワークインタフェースは、バスを用いることによって個別にプロセッサに接続され、プロセッサは、メモリに記憶されている命令を実行するよう構成され、プロセッサは、命令を実行し、第１の態様もしくは第１の態様の可能な実現方式のうち任意の１つにおけるデータ伝送方法、または、第２の態様もしくは第２の態様の可能な実現方式のうち任意の１つにおけるデータ伝送方法、または、第３の態様もしくは第３の態様の可能な実現方式のうち任意の１つにおけるデータ伝送方法、または、第４の態様もしくは第４の態様の可能な実現方式のうち任意の１つにおけるデータ伝送方法、または、第５の態様もしくは第５の態様の可能な実現方式のうち任意の１つにおけるデータ伝送方法、または、第６の態様もしくは第６の態様の可能な実現方式のうち任意の１つにおけるデータ伝送方法、または、第７の態様または第７の態様の可能な実現方式のうち任意の１つにおけるデータ伝送方法、または、第８の態様もしくは第８の態様の可能な実現方式のうち任意の１つにおけるデータ伝送方法、または、第９の態様もしくは第９の態様の可能な実現方式のうち任意の１つにおけるデータ伝送方法、または、第１０の態様もしくは第１０の態様の可能な実現方式のうち任意の１つにおけるデータ伝送方法を実現する。
【００６２】
第１３の態様によれば、デバイスツーデバイスデータ伝送システムが提供され、当該データ伝送システムは、通信デバイスを備え、通信デバイスは、第１１の態様または第１２の態様のデータ伝送装置を含む。
【００６３】
第１１の態様から第１３の態様において得られる技術的効果は、第１の態様から第１０の態様における対応する技術的手段を用いることによって得られる技術的効果と同様であり、本発明において詳細はここでは再び説明されない。
【００６４】
結論として、本発明は、デバイスツーデバイスデータ伝送方法、装置、おおびシステムを提供する。伝送されるべきデータが伝送される前に、信号検出は、リソース集合全体の第１のリソースサブ集合のみに対して実行され、リソース集合における利用可能なリソースは、信号検出結果に基づき、決定されることができ、データを伝送する間に、伝送されるべきデータは、利用可能なリソースからリソースを直接選択することによって伝送されることができる。言い換えれば、本発明の実施形態において、通信デバイスは、伝送のために用いられるリソース集合全体に対して検出を実行せず、これにより、通信デバイスは、検出の間に比較的大量のエネルギーを消費する必要がない。従って、通信デバイスがハンドヘルドデバイスである場合、ハンドヘルドデバイスの比較的長期通常使用を保証することができる。
【図面の簡単な説明】
【００６５】
本発明の実施形態における技術的解決手段をより明白に説明するために、以下では、実施形態を説明するために必要とされる添付図面を簡潔に説明する。明らかに、以下の説明における添付図面は単に、本発明のいくつかの実施形態を示しており、当業者は、創造的努力ことなく、これらの添付図面から、さらに他の図面を導出し得る。
【００６６】
【図１】本発明の一実施形態に係るデバイスツーデバイスデータ伝送方法の応用シナリオの模式図である。
【００６７】
【図２】本発明の一実施形態に係るデバイスツーデバイスデータ伝送装置の概略構造図である。
【００６８】
【図３】本発明の一実施形態に係る別のデバイスツーデバイスデータ伝送装置の概略構造図である。
【００６９】
【図４】本発明の一実施形態に係るさらに別のデバイスツーデバイスデータ伝送装置の概略構造図である。
【００７０】
【図５】本発明の一実施形態に係るデバイスツーデバイスデータ伝送方法のフローチャートである。
【００７１】
【図６】本発明の一実施形態に係るリソース集合における第１のリソースサブ集合の分布の模式図である。
【００７２】
【図７】本発明の一実施形態に係るリソース集合の第１のリソースサブ集合の分布の別の模式図である。
【００７３】
【図８】本発明の一実施形態に係るリソース集合における第１のリソースサブ集合の分布のさらに別の模式図である。
【００７４】
【図９】本発明の一実施形態に係るリソース集合における第１のリソースサブ集合の分布のさらに別の模式図である。
【００７５】
【図１０】本発明の別の実施形態に係るリソース集合における第１のリソースサブ集合の分布の模式図である。
【００７６】
【図１１】本発明の一実施形態に係る第１の利用可能なリソースの分布の模式図である。
【００７７】
【図１２】本発明の一実施形態に係る第１の利用可能なリソースの分布の別の模式図である。
【００７８】
【図１３】本発明の一実施形態に係るリソース集合と確率値との間の対応関係の模式図である。
【００７９】
【図１４】本発明の別の実施形態に係るリソース集合における第１のリソースサブ集合の分布の別の模式図である。
【００８０】
【図１５】関連技術において提供されるＳＡ情報およびデータ情報の位置の模式図である。
【００８１】
【図１６】関連技術において提供されるＳＡ情報およびデータ情報の位置の別の模式図である。
【００８２】
【図１７】関連技術において提供されるデバイスツーデバイスデータ伝送の模式図である。
【００８３】
【図１８】関連技術において提供されるデータ反復の模式図である。
【００８４】
【図１９】本発明の一実施形態に係るさらに別のデバイスツーデバイスデータ伝送装置の概略構造図である。
【００８５】
【図２０】本発明の別の実施形態に係るデバイスツーデバイスデータ伝送装置の概略構造図である。
【００８６】
【図２１】本発明のさらに別の実施形態に係るデバイスツーデバイスデータ伝送装置の概略構造図である。
【００８７】
【図２２】本発明の一実施形態に係る別のデバイスツーデバイスデータ伝送方法のフローチャートである。
【００８８】
【図２３】本発明の一実施形態に係るデータ反復の模式図である。
【００８９】
【図２４】本発明の一実施形態に係るデータ反復の別の模式図である。
【００９０】
【図２５】本発明の一実施形態に係るデータ反復のさらに別の模式図である。
【発明を実施するための形態】
【００９１】
本発明の目的、技術的解決手段、および利点をより明白にするために、以下ではさらに、添付図面を参照して本発明の実施形態を詳細に説明する。
【００９２】
ロングタームエボリューション（英語表記：Ｌｏｎｇ  Ｔｅｒｍ  Ｅｖｏｌｕｔｉｏｎ、略してＬＴＥ）通信技術の継続的発展に伴って、セルラネットワークの負荷がますます重くなり、既存のスペクトルリソースがますます不足となってきた。現在、ほとんどのモバイルデバイスは、Ｂｌｕｅｔｏｏｔｈ（登録商標）またはワイヤレス・フィディリティ（英語表記：Ｗｉｒｅｌｅｓｓ  Ｆｉｄｅｌｉｔｙ、略してＷｉＦｉ）などの様々な無線通信技術を用いる。従って、モバイルデバイス間の直接通信を実現するために、デバイスツーデバイス（英語表記：ｄｅｖｉｃｅ−ｔｏ−ｄｅｖｉｃｅ、略してＤ２Ｄ）技術が、通信規格ＬＴＥ−Ａ  Ｒｅｌ−１２および通信規格ＬＴＥ−Ａ  Ｒｅｌ−１３に現れる。Ｄ２Ｄ技術の出現は、従来技術における、スペクトルリソースが不足し、ネットワークが過負荷となるという課題を大いに解決する。Ｄ２Ｄ技術において、ハンドヘルドデバイスおよびＵＥ（Ｕｓｅｒ  Ｅｑｕｉｐｍｅｎｔ、略してＵＥ）は、基地局による転送を必要とせず、互いに直接通信し得て、これにより、基地局のデータ負荷が大幅に低減される。言い換えれば、Ｄ２Ｄ技術は、スペクトルリソースのより良い利用を実現するのみならず、スペクトル利用およびデータ伝送率も向上させることができ、さらに基地局の負荷を低減することができる。
【００９３】
Ｄ２Ｄ技術において、通信デバイスのデータ伝送のためのリソースは、以下の２つのモードにおいて配分によって取得され得る。第１のモードにおいて、データ伝送のためのリソースは、集中制御方法を用いることによって配分される。具体的には、基地局または中継ノードは、リソーススケジューリングを実行し、データ伝送のためのリソースを各通信デバイスへ配分し、通信デバイスは、配分によって取得されたリソース上でデータおよび制御情報を直接伝送し得る。このモードは主に、ネットワークカバレッジが利用可能なシナリオに適用される。第２のモードにおいて、データを送信する必要がある通信デバイスは、競合方式でリソースを取得する。具体的には、ネットワークカバレッジが利用可能なシナリオにおいて、データ伝送のためのリソースが基地局または中継ノードによりスケジューリングを通して取得されたリソース全体であり、全ての通信デバイスは、このリソース全体におけるリソースの小さい部分を競合する。ネットワークカバレッジが利用不可なシナリオにおいて、通信デバイスは、予め設定されたリソースを取得することができ、全ての通信デバイスは、予め設定されたリソースにおけるデータ伝送のためのリソースを競合する。
【００９４】
Ｖ２Ｘ技術がＤ２Ｄ技術の進化版である。図１は、本発明の一実施形態に係るデバイスツーデバイスデータ伝送方法の応用シナリオの模式図である。図１に示されているように、通信規格ＬＴＥ−Ａ  Ｒｅｌ−１４におけるＶ２Ｘ技術は、Ｖ２Ｖ技術、Ｖ２Ｐ技術、および車路間通信（英語表記：Ｖｅｈｉｃｌｅ−ｔｏ−Ｉｎｆｒａｓｔｒｕｃｔｕｒｅ、略してＶ２Ｉ）技術の総称である。図１におけるＶ−ＵＥ、Ｐ−ＵＥ、およびインフラストラクチャはそれぞれ、通信デバイスである。Ｖ２Ｖ技術は、（車載デバイスとも称される）Ｖ−ＵＥと、（ハンドヘルドデバイスとも称される）Ｖ−ＵＥとの間の通信を実現することができ、Ｖ２Ｐ技術は、Ｖ−ＵＥとＰ−ＵＥとの間の通信を実現することができ、Ｖ２Ｉ技術は、Ｖ−ＵＥとインフラストラクチャとの間の通信を実現することができる。しかしながら、Ｐ−ＵＥ状のエネルギーが主にＰ−ＵＥに搭載されたバッテリからであるため、言い換えれば、Ｐ−ＵＥは、比較的少量のエネルギーを提供できる。従って、Ｐ−ＵＥに対して、いかに消費電力を低減するかが、緊急に解決するべき課題となっている。具体的には、Ｖ２Ｖ技術において、第１のデバイスが第２のデバイスと通信する必要があるとき、第１のデバイスはまず、予め設定された時間間隔においてデータ伝送のために用いられるリソース集合全体に対して信号検出を実行する必要があり、信号検出結果に基づき、リソース集合における利用可能な伝送リソースを決定する。そして、第１のデバイスは、決定された利用可能な伝送リソース上で、データを第２のデバイスへ伝送することができる。しかしながら、Ｖ２Ｐ技術において、ハンドヘルドデバイスが送信をデータする前にリソース集合に対して信号検出も実行する場合、ハンドヘルドデバイスは、比較的大量のエネルギーを消費する必要があり、その結果、ハンドヘルドデバイスの比較的長期通常使用を保証することができない。
【００９５】
図２に示されているように、本発明の実施形態は、デバイスツーデバイスデータ伝送装置１９を提供する。データ伝送装置１９は、図１に示されているＶ２Ｘ技術における任意の通信デバイスのために用いられてよい。データ伝送装置１９は、（中央処理装置などの）少なくとも１つのプロセッサ２０１と、少なくとも１つのネットワークインタフェース２０２と、メモリ２０３と、これらの装置間の接続および通信を実現するための少なくとも１つのバス２０４とを含んでよい。メモリ２０３およびネットワークインタフェース２０２は、バス２０４を用いることによってプロセッサ２０１に個別に接続されてよい。プロセッサ２０１は、コンピュータプログラムなどの、メモリ２０３に記憶されている実行可能なモジュールを実行するよう構成される。メモリ２０３は、高速なランダムアクセスメモリ（英語表記：Ｒａｎｄｏｍ  Ａｃｃｅｓｓ  Ｍｅｍｏｒｙ、略してＲＡＭ）を含んでよく、例えば、少なくとも１つの磁気ディスクメモリのような、不揮発性メモリ（英語表記：ｎｏｎ−ｖｏｌａｔｉｌｅ  ｍｅｍｏｒｙ）をさらに含んでよい。データ伝送装置と少なくとも１つの別のネットワークエレメントとの間の通信接続は、（有線または無線であってよい）少なくとも１つのネットワークインタフェース２０２を用いることによって実現されてよく、インターネット、広域ネットワーク、ローカルエリアネットワーク、メトロポリタンエリアネットワーク、または同様のものが用いられてよい。いくつかの実現方式において、メモリ２０３は、プログラム２０２０を記憶し、プログラム２０２０は、プロセッサ２０１により実行されてよい。
【００９６】
図３に示されているように、本発明の実施形態は、別のデバイスツーデバイスデータ伝送装置３０を提供する。データ伝送装置は、図１に示されているＶ２Ｘ技術における任意の通信デバイスのために用いられてよく、データ伝送装置３０は、データ伝送のために用いられるリソース集合の第１のリソースサブ集合に対して信号検出を実行するよう構成される第１の検出モジュール３０１であって、信号検出が実行されるリソースは、リソース集合より小さい、第１の検出モジュール３０１と、信号検出結果に基づき、リソース集合における利用可能なリソースを決定するよう構成される第１の決定モジュール３０２と、利用可能なリソースからリソースを選択することによって伝送されるべきデータを伝送するよう構成される第１の伝送モジュール３０３とを備えてよい。
【００９７】
結論として、本発明の本実施形態は、デバイスツーデバイスデータ伝送装置を提供する。伝送されるべきデータが伝送される前に、第１の検出モジュールは、リソース集合全体の第１のリソースサブ集合のみに対して信号検出を実行し、第１の決定モジュールは、信号検出結果に基づき、リソース集合におけり利用可能なリソースを決定することができ、データを伝送する間に、第１の伝送モジュールは、利用可能なリソースからリソースを直接選択することによって伝送されるべきデータを伝送することができる。言い換えれば、本発明の本実施形態において、通信デバイスは、伝送のために用いられるリソース集合全体に対して検出を実行せず、これにより、通信デバイスは、検出中に比較的大量のエネルギーを消費する必要がない。従って、通信デバイスがハンドヘルドデバイスであるとき、ハンドヘルドデバイスの比較的長期通常使用を保証することができる。
【００９８】
任意選択に、リソース集合がＮ個の初期集合に分割され、各初期集合は、少なくとも１つのリソースサブ集合を含み、Ｎは、１より大きいまたはそれに等しい整数である。１つの態様において、各初期集合は、少なくとも２つの第１のリソースサブ集合を含み、少なくとも２つの第１のリソースサブ集合の任意の２つの隣接する第１のリソースサブ集合間の時間領域間隔が等しい。別の態様において、各初期集合は、少なくとも２つの第１のリソースサブ集合を含み、各初期集合における２つの隣接する第１のリソースサブ集合間の時間領域間隔は全て、等差数列である。
【００９９】
任意選択に、リソース集合は、少なくとも２つの第１のリソースサブ集合を含み、２つの隣接する第１のリソースサブ集合間の時間領域間隔は全て、等差数列である。
【０１００】
任意選択に、第１の決定モジュール３０２はさらに、リソース集合の少なくとも１つの第２のリソースサブ集合を候補リソースとして決定し、信号検出結果に基づき、候補リソースにおける利用可能なリソースをリソース集合における利用可能なリソースとして決定するよう構成されてよく、各第２のリソースサブ集合と第１のリソースサブ集合との間の時間領域間隔がターゲット周期の正の整数倍であり、ターゲット周期は、第１のリソースサブ集合の信号エネルギー値、または伝送されるべきデータの優先度に基づき決定されるか、または、各第２のリソースサブ集合と第１のリソースサブ集合との間の時間領域間隔が予め設定された周期の正の整数倍である。
【０１０１】
例えば、より大きい信号エネルギー値は、より長いターゲット周期を示し、より小さい信号エネルギー値は、より短いターゲット周期を示すか、または、伝送されるべきデータのより高い優先度がより短いターゲット周期を示し、伝送されるべきデータのより低い優先度がより長いターゲット周期を示すか、または、より大きい信号エネルギー値が第２のリソースサブ集合のより小さい時間領域長を示し、より小さい信号エネルギー値が第２のリソースサブ集合のより大きい時間領域長を示すか、または、伝送されるべきデータのより高い優先度が第２のリソースサブ集合のより大きい時間領域長を示し、伝送されるべきデータのより低い優先度が、第２のリソースサブ集合のより小さい時間領域長を示す。
【０１０２】
任意選択に、第１の決定モジュール３０２はさらに、信号エネルギー値または伝送されるべきデータの優先度に基づき、ゼロより大きい、またはそれに等しい整数である第１のパラメータＫを決定し、第１のリソースサブ集合の少なくとも一方の側の、Ｋ個の連続するサブフレームまたはＫ個の連続するシンボルを含み、第１のリソースサブ集合に隣接する第３のリソースサブ集合を候補リソースとして決定し、信号検出結果に基づき、候補リソースにおける利用可能なリソースをリソース集合における利用可能なリソースを決定するよう構成され得る。
【０１０３】
例えば、より大きい信号エネルギー値がより小さい第１のパラメータＫを示すか、または、より小さい信号エネルギー値がより大きい第１のパラメータＫを示すか、または、伝送されるべきデータのより高い優先度がより小さい第１のパラメータＫを示すか、または、伝送されるべきデータのより低い優先度がより大きい第１のパラメータＫを示す。
【０１０４】
任意選択に、第１の決定モジュール３０２はさらに、予め設定された、ゼロより大きいまたはそれに等しい整数である第１のパラメータＫを取得し、第１のリソースサブ集合の少なくとも一方の側の、Ｋ個の連続するサブフレームまたはＫ個の連続するシンボルを含み、第１のリソースサブ集合に隣接する第３のリソースサブ集合を候補リソースとして決定し、信号検出結果に基づき、候補リソースにおける利用可能なリソースをリソース集合における利用可能なリソースとして決定するよう構成されてよい。
【０１０５】
任意選択に、信号検出結果は、第１のリソースサブ集合の信号エネルギー値であり、リソース集合における少なくとも１つの集合と、少なくとも１つの確率値との間の一対一の対応関係が、通信デバイス上で設定され、第１の決定モジュール３０２はさらに、信号エネルギー値が予め設定された閾値より小さいとき、信号検出結果に基づき、第１のリソースサブ集合をリソース集合における利用可能なリソースとして決定するか、または、信号エネルギー値が予め設定された閾値より小さくないとき、少なくとも１つの確率値から確率値を利用可能な確率値として選択し、利用可能な確率値に対応する集合におけるリソースを候補リソースとして用い、信号検出結果に基づき、候補リソースにおける利用可能なリソースをリソース集合における利用可能なリソースとして決定するよう構成される。
【０１０６】
任意選択に、信号検出結果は、第１のリソースサブ集合の信号エネルギー値であり、第１の検出モジュール３０１はさらに、スケジューリング割当（英語表記：Ｓｃｈｅｄｕｌｉｎｇ  Ａｓｓｉｇｎｍｅｎｔ、略してＳＡ）情報を取得することであって、第１のＳＡ情報は、データ伝送のために用いられる第１のリソースを示し、第１のリソースは、第１のリソースサブ集合に属する、取得することと、第１のＳＡ情報が、予約されたリソースの存在を示すかを決定することとを実行するよう構成され、第１の決定モジュール３０２はさらに、第１のＳＡ情報が予約されたリソースが存在しないことを示したとき、第１のリソースを候補リソースとして決定し、信号検出結果に基づき、候補リソースにおける利用可能なリソースをリソース集合における利用可能なリソースとして決定するよう構成される。
【０１０７】
任意選択に、第１の決定モジュール３０２はさらに、信号エネルギー値が予め設定された閾値より小さくなく、かつ、第１のＳＡ情報が予約されたリソースが存在しないことを示したとき、第１のリソースサブ集合における利用可能なリソースと第１のリソースとを候補リソースとして決定し、信号検出結果に基づき、候補リソースにおける利用可能なリソースをリソース集合における利用可能なリソースとして決定するよう構成される。
【０１０８】
任意選択に、第１の検出モジュール３０１はさらに、Ｕ番目（Ｕは１より大きいまたはそれに等しい整数である）の第１のリソースサブ集合に対して信号検出を実行し、Ｕ番目の第１のリソースサブ集合上で伝送される第２のＳＡ情報を取得し、第２のＳＡ情報が、予約されたリソースの存在を示すかを決定し、第２のＳＡ情報が予約されたリソースの存在を示したとき、予約されたリソースが属する第１のリソースサブ集合を決定し、予約されたリソースが属する第１のリソースサブ集合に対して信号を検出する間に、予約されたリソースが属する第１のリソースサブ集合における、予約されたリソース以外のリソースに対して信号検出を実行するよう構成される。
【０１０９】
任意選択に、第１の伝送モジュール３０２はさらに、第１の利用可能なリソースから利用可能なリソースを選択することによって第１の伝送されるべきデータを伝送するよう構成される。図４は、本発明の一実施形態に係るさらに別のデバイスツーデバイスデータ伝送装置３０の概略構造図である。図４に示されているように、図３に基づき、データ伝送装置３０はさらに、（Ｘ＋１）番目の伝送されるべきデータを伝送する間に、リソース集合における第１のリソースサブ集合に対して（Ｘ＋１）番目の信号検出を実行するよう構成される第２の検出モジュール３０４であって、Ｘは１より大きいまたはそれに等しい整数である、第２の検出モジュール３０４と、（Ｘ＋１）番目の信号検出の信号検出結果と、最初のＸ個の伝送されるべきデータを伝送する間に実行される最初のＸ回の信号検出のうち少なくとも１つの信号検出結果とに基づき、リソース集合における第２の利用可能なリソースを決定するよう構成される第２の決定モジュール３０５と、第２の利用可能なリソースからリソースを選択することによって（Ｘ＋１）番目の伝送されるべきデータを伝送するよう構成される第２送信モジュール３０６とを備えてよい。
【０１１０】
結論として、本発明の本実施形態は、デバイスツーデバイスデータ伝送装置を提供する。伝送されるべきデータが伝送される前に、第１の検出モジュールは、リソース集合全体の第１のリソースサブ集合のみに対して信号検出を実行し、第１の決定モジュールは、信号検出結果に基づき、リソース集合における利用可能なリソースを決定することができ、データを伝送する間に、第１の伝送モジュールは、利用可能なリソースからリソースを直接選択することによって伝送されるべきデータを伝送することができる。言い換えれば、本発明の本実施形態において、通信デバイスは、伝送のために用いられるリソース集合全体に対して検出を実行せず、これにより、通信デバイスは、検出中に比較的大量のエネルギーを消費する必要がない。従って、通信デバイスがハンドヘルドデバイスである場合、ハンドヘルドデバイスの比較的長期通常使用を保証することができる。
【０１１１】
図５に示されているように、本発明の実施形態は、デバイスツーデバイスデータ伝送方法を提供する。データ伝送方法は通信デバイスのために用いられてよい。例えば、通信デバイスは、図１における任意の通信デバイスであってよい。データ伝送方法は、図２におけるプロセッサ２０１によりプログラム２０３１を実行することによって実現されてよい。データ伝送方法は、以下の段階を備えてよい。
【０１１２】
段階５０１：通信デバイスが、データ伝送のために用いられるリソース集合の第１のリソースサブ集合に対して信号検出を実行し、ここで、信号検出が実行されるリソースは、リソース集合より小さい。
【０１１３】
例えば、段階５０１は、図３または図４に示されているデータ伝送装置における第１の検出モジュール３０１により実現されてよい。
【０１１４】
第１の態様において、図６は、本発明の一実施形態に係るリソース集合における第１のリソースサブ集合の分布の模式図である。図６に示されているように、リソース集合は、Ｎ個の初期集合に分割されてよく、各初期集合は、少なくとも１つのリソースサブ集合を含む（図６において、各初期集合が１つの第１のリソースサブ集合を含むという例が用いられ、実際の応用において、各初期集合は、代わりに、複数の第１のリソースサブ集合を含んでよく、本発明の本実施形態は、それらに対して限定しない）。Ｎは、１より大きいまたはそれに等しい整数であってよい。段階５０１において、信号検出は、各第１のリソースサブ集合に対して実行されてよい。
【０１１５】
第２の態様において、図７は、本発明の一実施形態に係るリソース集合における第１のリソースサブ集合の分布の別の模式図である。図７に示されているように、リソース集合は、Ｎ個の初期集合に分割されてよく、各初期集合は、少なくとも２つの第１のリソースサブ集合を含み、少なくとも２つの第１のリソースサブ集合の任意の２つの隣接する第１のリソースサブ集合間の時間領域間隔Ｅ１が、等しい。
【０１１６】
第３の態様において、図８は、本発明の一実施形態に係るリソース集合における第１のリソースサブ集合の分布のさらに別の模式図である。図８に示されているように、リソース集合は、Ｎ個の初期集合に分割されてよく、各初期集合は、少なくとも２つの第１のリソースサブ集合を含み、各初期集合における２つの隣接する第１のリソースサブ集合間の時間領域間隔は全て、等差数列である。例えば、第１の第１のリソースサブ集合と２番目の第１のリソースサブ集合との間の時間領域間隔が、Ｅ２であり、２番目の第１のリソースサブ集合と３番目の第１のリソースサブ集合との間の時間領域間隔がＥ３であり、３番目の第１のリソースサブ集合と４番目の第１のリソースサブ集合との間の時間領域間隔がＥ４であり、Ｅ２、Ｅ３、およびＥ４は、等差数列に連続して配列されてよい。例えば、Ｅ２は、２ミリ秒であり、Ｅ３は４ミリ秒であり、Ｅ４は６ミリ秒であり、２、４、および６は、等差数列を構成することができる。実際の応用において、２つの隣接する第１のリソースサブ集合間の時間領域間隔は全て、等差数列でなく、別の数値配列ルールを満たしてよく、本発明の本実施形態は、それらに限定しない。段階５０１において、信号検出は、各第１のリソースサブ集合に対して実行されてよい。
【０１１７】
第４の態様において、図９は、本発明の一実施形態に係るリソース集合における第１のリソースサブ集合の分布のさらに別の模式図である。図９に示されているように、リソース集合は、Ｎ個の初期集合に分割されず、リソース集合は直接、少なくとも２つの第１のリソースサブ集合を含み、少なくとも２つの第１のリソースにおける２つの隣接する第１のリソースサブ集合間の時間領域間隔は全て、等差数列である。例えば、第１の第１のリソースサブ集合と２番目の第１のリソースサブ集合との間の時間領域間隔がＥ５であり、２番目の第１のリソースサブ集合と３番目の第１のリソースサブ集合との間の時間領域間隔がＥ６であり、３番目の第１のリソースサブ集合と４番目の第１のリソースサブ集合との間の時間領域間隔がＥ７であり、Ｅ５、Ｅ６、およびＥ７は、等差数列に連続して配列されてよい。例えば、Ｅ５は４ミリ秒であり、Ｅ６は８ミリ秒であり、Ｅ７は１２ミリ秒であり、４、８、１２は、等差数列を構成できる。段階５０１において、信号検出は、各第１のリソースサブ集合に対して実行されてよい。
【０１１８】
前述の４つの態様において、全ての第１のリソースサブ集合の和がリソース集合より小さいので、関連技術におけるリソース集合全体に対する検出に比べて、検出範囲が大幅に低減され、検出速度が向上し、検出により必要とされる消費エネルギーが低減される。例えば、リソース集合がＮ個の初期集合に分割され、Ｎが２より大きい、またはそれに等しい整数であるとき、任意の２つの初期集合の時間領域サイズは、同じ又は異なってよく、本発明の本実施形態はそれらに対して限定しない。
【０１１９】
具体的には、段階５０１における信号検出の信号検出結果は、第１のリソースサブ集合の信号エネルギー値であってよい。例えば、信号エネルギー値は、参照信号受信電力（英語表記：Ｒｅｆｅｒｅｎｃｅ  Ｓｉｇｎａｌ  Ｒｅｃｅｉｖｅｄ  Ｐｏｗｅｒ、略してＲＳＲＰ）、または参照信号受信品質（英語表記：Ｒｅｆｅｒｅｎｃｅ  Ｓｉｇｎａｌ  Ｒｅｃｅｉｖｅｄ  Ｑｕａｌｉｔｙ、略してＲＳＲＱ）を含んでよい。第１のリソースサブ集合は、第１のリソースを含んでよく、第１のリソースサブ集合はさらに、第１のリソースと異なる別のリソースをさらに含んでよい。通信デバイスが段階５０１において第１のリソースサブ集合に対して信号検出を実行するとき、通信デバイスは、第１のリソースサブ集合における全てのリソースに対して信号検出を実行するのみならず、第１のＳＡ情報も取得することができ、第１のＳＡ情報は、データ伝送のために用いられる第１のリソースを示し、第１のＳＡ情報が予約されたリソースの存在を示すかを決定する。
【０１２０】
例えば、段階５０１において第１のリソースサブ集合に対して信号を検出する間に、信号検出は、Ｕ番目の第１のリソースサブ集合に対して実行され得て、Ｕ番目の第１のリソースサブ集合上で伝送された第２のＳＡ情報が取得され得て、第２のＳＡ情報が予約されたリソースの存在を示すかが決定され得る。任意選択に、Ｕは、１より大きいまたはそれに等しい整数である。第２のＳＡ情報が、予約されたリソースの存在を示したとき、予約されたリソースが属する第１のリソースサブ集合が決定され、予約されたリソースが属する第１のリソースサブ集合に対して信号を検出する間に、予約されたリソースが属する第１のリソースサブ集合における、予約されたリソース以外のリソースに対して信号検出が実行される。Ｕは１より大きいまたはそれに等しい整数である。図１０に示されているように、リソース集合は、複数の第１のリソースサブ集合を含んでよく、第２のＳＡ情報は、特定の第１のリソースサブ集合上で伝送され、第２のＳＡ情報は、第２のＳＡ情報に関連するデータ（英語表記：ｄａｔａ）情報がＵ番目の第１のリソースサブ集合におけるサブ集合１上で伝送されることを示し、第２のＳＡ情報はさらに、リソース集合において予約されたリソース２が存在することを示すために用いられ、予約されたリソース２は、Ｖ番目の第１のリソースサブ集合にある。従って、第１のリソースサブ集合に対して信号を検出する間に、信号検出はまず、Ｕ番目の第１のリソースサブ集合における全てのリソースに対して実行されてよく、そして、信号検出は、Ｖ番目の第１のリソースサブ集合における、予約されたリソース２以外の別のリソースに対して実行されてよい。
【０１２１】
言い換えれば、検出されるべき第１のリソースサブ集合が予約されたリソースを含むことが決定されたとき、デフォルトで、信号検出が第１のリソースサブ集合に対して実行されるとき、予約されたリソースの信号エネルギー値が比較的大きい場合、予約されたリソースが利用不可なリソースであることがみなされてよい。信号検出に含まれるリソースの数はさらに低減され、データ伝送中に通信デバイスにより消費される必要があるエネルギーが低減される。
【０１２２】
段階５０２：通信デバイスが、信号検出結果に基づき、リソース集合における第１の利用可能なリソースを決定する。
【０１２３】
例えば、段階５０２は、図３または図４に示されているデータ伝送装置３０における第１の決定モジュール３０２により実現されてよい。
【０１２４】
任意選択に、第１のリソースサブ集合に対する信号検出が完了した後に、段階５０２において、通信デバイスが信号検出結果に基づき、リソース集合における第１の利用可能なリソースを決定するとき、第１の利用可能なリソースは、以下の４つの方式で決定され得る。
【０１２５】
第１の方式において、通信デバイスはまず、第１のリソースサブ集合の信号エネルギー値、または伝送されるべきデータの優先度に基づき、ターゲット周期を決定し得る。例えば、第１のリソースサブ集合の信号エネルギー値がより大きい場合、より長いターゲット周期が決定され、第１のリソースサブ集合の信号エネルギー値がより小さい場合、より短いターゲット周期が決定され、または、伝送されるべきデータの優先度がより高い場合、より短いターゲット周期が決定され、伝送されるべきデータの優先度がより低い場合、より長いターゲット周期が決定される。さらに、ターゲット周期を決定する間に、第１のリソースサブ集合の信号エネルギー値、または伝送されるべきデータの優先度に基づき、第２のリソースサブ集合の時間領域長が、さらに決定され得る。例えば、第１のリソースサブ集合の信号エネルギー値がより大きい場合、第２のリソースサブ集合のより小さい時間領域長が決定され、第１のリソースサブ集合の信号エネルギー値がより小さい場合、第２のリソースサブ集合のより大きい時間領域長が決定され、または、伝送されるべきデータの優先度がより高い場合、第２のリソースサブ集合のより大きい時間領域長が決定され、伝送されるべきデータの優先度がより低い場合、第２のリソースサブ集合のより小さい時間領域長が決定される。そして、通信デバイスは、ターゲット周期の正の整数倍である、リソースサブ集合と第１のリソースサブ集合との間の時間領域間隔を有するリソースサブ集合を第２のリソースサブ集合として用い、リソース集合の少なくとも１つの第２のリソースサブ集合を候補リソースとして決定し、第１のリソースサブ集合の信号検出結果に基づき、候補リソースにおける利用可能なリソースをリソース集合における第１の利用可能なリソースとして決定してよい。特定のリソースの信号エネルギー値が閾値より大きいとき、リソースは、利用可能なリソースとしてみなされてよく、特定のリソースの信号エネルギー値が閾値より小さい、またはそれに等しいとき、リソースは、利用不可なリソースとしてみなされてよいことに留意されたい。
【０１２６】
具体的には、第１のリソースサブ集合のより大きい信号エネルギー値は、第１のリソースサブ集合において占有されているリソースがより多いこと、第１のリソースサブ集合に近いリソースを占有する可能性がより高いこと、および、第１のリソースサブ集合から遠く離れるリソースを占有する可能性がより低いことを示す。従って、第１のリソースサブ集合の信号エネルギー値に基づき、ターゲット周期を決定する間に、第１のリソースサブ集合の信号エネルギー値がより大きい場合、より長いターゲット周期が決定され得て、第２のリソースサブ集合の長さがより小さく、これにより、決定された候補リソースにおいて比較的大きい数の第１の利用可能なリソースが存在することが保証される。
【０１２７】
任意選択に、第１の方式において、リソースサブ集合と、第１のリソースサブ集合との間の、予め設定された周期の正の整数倍である時間領域間隔を有する各リソースサブ集合は代わりに、第２のリソースサブ集合として決定されてよい。予め設定された周期は、通信デバイスのための基地局により予め設定されてよい。各第２のリソースサブ集合の時間領域長は、予め設定された長さであってよい。各第２のリソースサブ集合の時間領域長は代わりに、第１の方式で決定されてよい。例えば、図１１は、本発明の一実施形態に係る第１の利用可能なリソースの分布の模式図である。図１１において示されているように、各第２のリソースサブ集合と、第１のリソースサブ集合との間の時間領域間隔Ｆｌは、ターゲット周期または予め設定された周期の正の整数倍であってよい。
【０１２８】
第２の方式において、通信デバイスはまず、第１のリソースサブ集合の信号エネルギー値、または伝送されるべきデータの優先度に基づき、第１のパラメータＫを決定してよく、決定された第１のパラメータＫがゼロより大きいまたはそれに等しい整数であってよい。例えば、第１のリソースサブ集合の信号エネルギー値がより大きい場合、より小さい第１のパラメータＫが決定され、より小さい信号エネルギー値がより大きい第１のパラメータＫを示すか、または、伝送されるべきデータのより高い優先度がより小さい第１のパラメータＫを示し、伝送されるべきデータのより低い優先度がより大きい第１のパラメータＫを示す。図１２に示されているように、第１のパラメータＫが決定された後に、第１のリソースサブ集合の少なくとも一方の側の第３のリソースサブ集合は、候補リソースとして決定されてよい。各第３のリソースサブ集合は、Ｋ個の連続するサブフレームまたはＫ個の連続するシンボルを含んでよく、各第３のリソースサブ集合は、第１のリソースサブ集合に隣接されることに留意されたい。例えば、図１２において、候補リソースが、第１のリソースサブ集合の両側に位置する第３のリソースサブ集合（２つの第３のリソースサブ集合の合計）を含むという例である。実際の応用において、候補リソースは代わりに、第１のリソースサブ集合の左側に位置する第３のリソースサブ集合のみを含んでよく、または、候補リソースは代わりに、第１のリソースサブ集合の右側に位置する第３のリソースサブ集合のみを含んでよく、本発明の本実施形態は、それらに対して限定しない。さらに、候補リソースが決定された後に、候補リソースにおける利用可能なリソースは、第１のリソースサブ集合の信号検出結果に基づき、リソース集合における第１の利用可能なリソースとして決定されてよい。
【０１２９】
具体的には、第１のリソースサブ集合のより大きい信号エネルギー値は、第１のリソースサブ集合において占有されているリソースがより多いこと、第１のリソースサブ集合に近いリソースを占有する可能性がより高いこと、および、第１のリソースサブ集合から遠く離れるリソースを占有する可能性がより低いことを示す。従って、第１のリソースサブ集合の信号エネルギー値に基づき、ターゲット周期を決定する間に、第１のリソースサブ集合の信号エネルギー値がより大きい場合、より小さい第１のパラメータＫが決定され得て、第１のリソースサブ集合の信号エネルギー値がより小さい場合、より大きい第１のパラメータＫが決定され、これにより、決定された候補リソースにおいて比較的大きい数の第１の利用可能なリソースが存在することが保証される。
【０１３０】
任意選択に、第１のパラメータＫは代わりに、第２の方式で決定されなくてよく、基地局または別の上位層により通信デバイスのために直接設定されてよく、本発明の本実施形態は、それらに対して限定しない。
【０１３１】
第３の方式において、段階５０１における信号検出結果は、第１のリソースサブ集合の信号エネルギー値であり、リソース集合における少なくとも１つの集合と、少なくとも１つの確率値との間の一対一の対応関係が、通信デバイス上で設定される。例えば、表１に示されているリストが通信デバイス上で設定されてよく、リストは、５つのリソースサブ集合と５つの確率値との間の一対一の対応関係を示すために用いられてよい。リソースサブ集合１に対応する確率値が５％であり、リソースサブ集合２に対応する確率値が１０％であり、リソースサブ集合３に対応する確率値が４０％であり、リソースサブ集合４に対応する確率値が２０％であり、リソースサブ集合５に対応する確率値が２５％である。  ［表１］
【表１】
2019530347.tif 000003
【０１３２】
段階５０２が実行されているとき、第１のリソースサブ集合の信号エネルギー値が予め設定された閾値より小さいかがまず、決定され得て、第１のリソースサブ集合の信号エネルギー値が予め設定された閾値より小さいとき、第１のリソースサブ集合は、第１のリソースサブ集合の信号検出結果に基づき、リソース集合における第１の利用可能なリソースとして決定されて得る。第１のリソースサブ集合の信号エネルギー値が予め設定された閾値より小さくないとき、確率値は、ランダムの方式で、または予め設定されたルールを用いることによって、少なくとも１つの確率値から、利用可能な確率値として選択されてよく、利用可能な確率値に対応するリソースサブ集合は、候補リソースとして用いられ、候補リソースにおける利用可能なリソースは、信号検出結果に基づき、リソース集合における第１の利用可能なリソースとして決定される。図１３に示されているように、リソース集合が５つの集合の合計を含み、かつ、各集合が確率値に対応していると仮定される。５つの集合は、（第１の確率値、第２の確率値、第３の確率値、第４の確率値、および第５の確率値を含む）５つの確率値の合計に対応している。５つの集合のうち第３の集合は、第１のリソースサブ集合を含む。第１のリソースサブ集合の信号エネルギー値が予め設定された閾値より小さいと決定されたとき、確率値は、ランダムの方式で、または予め設定されたルールを用いることによって、５つの確率値から、利用可能な確率値として選択されてよく、利用可能な確率値に対応する集合におけるリソースは、候補リソースとして用いられ、信号検出結果に基づき、候補リソースにおける利用可能なリソースがリソース集合における第１の利用可能なリソースとして決定される。
【０１３３】
第４の方式において、第１のＳＡ情報が予約されたリソースの存在を示すかが段階５０１において決定された場合、段階５０２において、第１のＳＡ情報が、予約されたリソースが存在しないことを示したとき、通信デバイスは、第１のリソースサブ集合の信号エネルギー値と予め設定された閾値との間の大きさの関係を決定する必要がなく第１のリソースを候補リソースとして直接決定してよく、信号検出結果に基づき、候補リソースにおける利用可能なリソースを、リソース集合における第１の利用可能なリソースとして決定してよい。代わりに、第１のリソースサブ集合の信号エネルギー値が予め設定された閾値より小さくない（より大きい、またはそれに等しい）とき、第１のＳＡ情報は、予約されたリソースが存在しないことを示し、通信デバイスは、第１のリソースサブ集合における第１の利用可能なリソースと、第１のリソースとを、候補リソースとして決定し、信号検出結果に基づき、候補リソースにおける利用可能なリソースをリソース集合における第１の利用可能なリソースとして決定してよい。図１４において示されているように、リソース集合は、第１のリソースサブ集合を含み、第１のリソースサブ集合は、リソース集合より小さく、第１のリソースサブ集合は、第１のリソースを含む。第１のＳＡ情報は、第１のリソース上で伝送されるデータに予約されたリソースが存在しないことを示す。従って、段階５０２において、第１のリソースは直接、候補リソースとして決定されてよい。代わりに、段階５０２において、第１のリソースサブ集合の信号エネルギー値が予め設定された閾値より大きい、またはそれに等しい場合、第１のリソースサブ集合における第１の利用可能なリソースと、第１のリソースとは直接、候補リソースとして決定されてよい。
【０１３４】
段階５０１において検出された、第１のリソースサブ集合の信号エネルギー値が予め設定された閾値より小さい場合、前述の４つの方式において、第１のリソースサブ集合はさらに、候補リソースとして決定されてよいことに留意されたい。言い換えれば、段階５０２において決定された候補リソースは、第１のリソースサブ集合と、前述の４つの方式のうち任意の１つで決定された候補リソースとを含んでよい。
【０１３５】
段階５０３：通信デバイスが、第１の利用可能なリソースからリソースを選択することによって第１の伝送されるべきデータを伝送する。
【０１３６】
例えば、段階５０３は、図３または図４において示されているデータ伝送装置３０における第１の伝送モジュール３０３により実現されてよい。具体的には、リソース集合における第１の利用可能なリソースが決定された後に、段階５０３において、通信デバイスは、リソース集合における決定された第１の利用可能なリソースからリソースを直接選択することによって第１の伝送されるべきデータを伝送してよい。
【０１３７】
段階５０４：（Ｘ＋１）番目の伝送されるべきデータを伝送する間に、通信デバイスは、リソース集合における第１のリソースサブ集合に対して（Ｘ＋１）番目の信号検出を実行する。
【０１３８】
例えば、段階５０４は、図４に示されているデータ伝送装置３０における第２の検出モジュール３０４により実現されてよい。Ｘは、１より大きいまたはそれに等しい整数であってよい。
【０１３９】
段階５０５：通信デバイスが、（Ｘ＋１）番目の信号検出の信号検出結果と、最初のＸ個の伝送されるべきデータを伝送する間に実行される最初のＸ回の信号検出のうち少なくとも１つの信号検出結果とに基づき、リソース集合における第２の利用可能なリソースを決定する。
【０１４０】
例えば、段階５０５は、図４に示されているデータ伝送装置３０における第２の決定モジュール３０５により実現されてよい。言い換えれば、毎回、利用可能なリソースを決定する間に、利用可能なリソースは、前の検出結果を参照して決定されてよく、これにより、前の検出結果は、今回、利用可能なリソースを決定するための参照として機能し得て、それにより、今回決定された利用可能なリソースの正確性を向上させる。
【０１４１】
段階５０６：通信デバイスが、第２の利用可能なリソースからリソースを選択することによって第２の伝送されるべきデータを伝送する。
【０１４２】
例えば、段階５０６は、図４に示されているデータ伝送装置３０における第２送信モジュール３０６により実現されてよい。例えば、第２の伝送されるべきデータは、第１の伝送されるべきデータと同一であってよく、または第１の伝送されるべきデータと異なってよく、本発明の本実施形態は、それらに対して限定しない。リソース集合における第２の利用可能なリソースが決定された後に、段階５０６において、通信デバイスは、リソース集合における決定された第２の利用可能なリソースからリソースを直接選択することによって、第２の伝送されるべきデータを伝送してよい。
【０１４３】
さらに、リソース集合が複数の第１のリソースサブ集合を含むとき、検出はさらに、複数の第１のリソースサブ集合に対して連続して実行されてよい。１番目ではない各第１のリソースサブ集合は、複数の前の検出の結果を参照して検出され得る。
【０１４４】
結論として、本発明の本実施形態は、デバイスツーデバイスデータ伝送方法を提供する。伝送されるべきデータが伝送される前に、信号検出は、リソース集合全体の第１のリソースサブ集合のみに対して実行され、リソース集合における利用可能なリソースは、信号検出結果に基づき、決定されることができ、データを伝送する間に、伝送されるべきデータは、利用可能なリソースからリソースを直接選択することによって伝送されることができる。言い換えれば、本発明の本実施形態において、通信デバイスは、伝送のために用いられるリソース集合全体に対して検出を実行せず、これにより、通信デバイスは、検出中に比較的大量のエネルギーを消費する必要がない。従って、通信デバイスがハンドヘルドデバイスである場合、ハンドヘルドデバイスの比較的長期通常使用を保証することができる。
【０１４５】
通信規格ＬＴＥ−Ａ  Ｒｅｌ−１２のＤ２Ｄ技術において、ＳＡ情報を伝送するためのリソースと、データ情報を伝送するためのリソースは、時分割多重（英語表記：Ｔｉｍｅ  Ｄｉｖｉｓｉｏｎ  Ｍｕｌｔｉｐｌｅｘｉｎｇ、略してＴＤＭ）方式で異なるサブフレームに分散される。図１５に示されているように、時間領域において、ＳＡ情報を伝送するためのリソースは、データ情報を伝送するためのリソースの前方に位置する。図１６に示されているように、通信規格ＬＴＥ−Ａ  Ｒｅｌ−１４において、Ｖ２Ｖ技術におけるデータ伝送のために用いられるリソース集合は、ＳＡリソース（ＳＡ情報を伝送するために用いられるリソース）と、データリソース（データ情報を伝送するために用いられるリソース）とを含むが、ＳＡリソースおよびデータリソースは、周波数分割多重（英語表記：Ｆｒｅｑｕｅｎｃｙ  Ｄｉｖｉｓｉｏｎ  Ｍｕｌｔｉｐｌｅｘｉｎｇ、略してＦＤＭ）方式で、同一時間領域に位置し、異なるスペクトル帯域幅に位置する。
【０１４６】
１つの態様において、Ｖ２Ｖ技術において、データを伝送する必要があるとき、通信デバイスは、例えば、各リソースのＲＳＲＰまたはＲＳＲＱを測定することなど、リソース集合を検知する（英語表記：ｓｅｎｓｉｎｇ）ことによって、リソース集合における各リソースに対してエネルギー検出を実行してよい。通信デバイスが、特定のリソースの測定結果が閾値より大きい、またはそれに等しいことを検出した場合、リソースが別の通信デバイスにより占有されているとみなされてよく、通信デバイスが、特定のリソースの測定結果が閾値より小さいことを検出した場合、リソースがアイドルリソースであるとみなされてよい。アイドルリソースが決定された後に、データは、アイドルリソース上で伝送されてよい。別の態様において、Ｖ２Ｖ技術において、データを伝送する必要があるとき、通信デバイスは、別の通信デバイスにより送信されたＳＡ情報を受信してよく、そして、受信されたＳＡ情報を復号してよく、ＳＡ情報は、ＳＡ情報に対応するデータ情報により占有されているリソースについての情報を含んでよい。通信デバイスは、受信されたＳＡ情報を復号することによって、別の通信デバイスにより伝送されたデータ情報により占有されているリソースを決定し得る。ＳＡ情報が問題なく復号された場合、通信デバイスは、ＳＡ情報に対応するデータ情報が、データ伝送のための特定のリソースを占有するとみなしてよく、ＳＡ情報を復号することが失敗した場合、通信デバイスは、ＳＡ情報に対応するデータ情報がリソースを占有していないとみなしてよい。この場合、通信デバイスは、占用されていないリソース上でデータを伝送してよい。
【０１４７】
図１７に示されているように、前述の２つの態様において、リソース集合に対する検出および送信は両方、検知窓において実現され、（ＵＥなどの）全ての通信デバイスのための検知窓のサイズは、同一である（例えば、全ての通信デバイスのための時間窓が１秒である）。検知窓においてリソース集合に対する検出および検知が完了した後のみ、通信デバイスは、リソースを、伝送されるべきデータ情報およびデータ情報に関連するＳＡ情報に配分し始める。具体的には、Ｖ２Ｖ技術において、リソースを伝送されるべきデータ情報に配分するとき、ＵＥは、検知（ｓｅｎｓｉｎｇ）技術におけるＳＡ情報復号技術を用いることによって、検出された占用されていないリソース、および占有されているが信号エネルギー値が対応するエネルギー閾値より小さいリソースを現在の候補リソースとして決定してよい。前述のエネルギー閾値は、伝送されるべきデータ情報の優先度に関連する。データ情報のより高い優先度は、データ情報のためのリソース配分中に用いられる予定のより大きいエネルギー閾値を示し、データ情報のより低い優先度が、データ情報のためのリソース配分中に用いられる予定のより小さいエネルギー閾値を示す。現在、Ｖ２Ｖ技術において、データ情報のための８つの優先度の合計が存在し、それぞれのデータ情報の優先度は、データ情報に関連するＳＡ情報における３ビットシグナリングを用いることによって示される。ＵＥは、別のＵＥにより送信されたＳＡ情報を復号して別のＵＥにより伝送されているデータの優先度を決定し、別のＵＥの優先度をＵＥ自身により送信される必要があるデータの優先度と比較し、検出のために用いられるエネルギー閾値を決定してよい。具体的には、予め設定された表が、各ＵＥ上で予め記憶されてよく、予め設定された表は、８つの優先度と、８つの優先度のうち任意の２つに対応するエネルギー閾値とを記録するために用いられる。
【０１４８】
例えば、予め設定された表は、表２として示されてよい。８つの優先度は、優先度１、優先度２、優先度３、優先度４、優先度５、優先度６、優先度７、および優先度８を含んでよく、８つの優先度における任意の２つの同じ又は異なる優先度は、エネルギー閾値に対応している。現在、データを送信する必要があるＵＥがＵＥ−１であり、かつ、検出されるべきリソース上で伝送されているデータがＵＥ−２のデータである場合、ＵＥ−１は、伝送されるべきデータの優先度（優先度２など）と、ＵＥ−２のデータの優先度（優先度３など）とに基づき、検出されるべきリソースに対する検出のために用いられる予定のエネルギー閾値が、優先度２および優先度３に対応するエネルギー閾値１１であることを決定してよい。６４個のエネルギー閾値が表２に記録されているが、６４個のエネルギー閾値の値は、実質的な意味を有さず、単に例であることに留意されたい。例えば、６４個のエネルギー閾値の値範囲は、−１２８  ｄＢｍから０ｄＢｍであってよく、値は、２  ｄＢｍの間隔を有してよい。  ［表２］
【表２】
2019530347.tif 000004
【０１４９】
さらに、別のＵＥにより送信されたＳＡ情報を復号するとき、ＵＥは、別のＵＥのデータにより占有される必要があるリソースを決定するのみならず、次のデータ伝送のために別のＵＥにより予約されているリソースも決定することができる。例えば、図１７に示されているように、ＵＥは、時点ｎ＋ｃにおいてＳＡ情報を送信し、ＳＡ情報は、ＵＥが時点ｎ＋ｄにおいてデータ情報を送信する予定であることを示し、ＳＡ情報はさらに、ＵＥの予約されたリソースを示す。言い換えれば、時点ｎ＋ｄ＋Ｐ×ｉにおける現在の周波数領域リソースが、予約されたリソースであり、Ｐは１００ミリ秒であり、ｉの値範囲が［０，１，２，…，１０］である。ｉ＝０であるとき、ＵＥがリソースをサービングしないことが決定されてよく、ｉ＝１であるとき、予約周期が１００×１ミリ秒であり、ｉ＝２であるとき、予約周期は１００×２ミリ秒、等など。最大の予約周期は、１００×１０＝１０００ミリ秒である。例えば、ｉの値は、ＳＡ情報における４ビットシグナリングを用いることによって示されてよい。別のＵＥが特定のＳＡ情報を取得するとき、別のＵＥは、ＳＡ情報に基づき、ＳＡに関連するデータ情報を伝送するためのリソースを決定してよく、データ情報を送信するＵＥの予約されたリソースをさらに知り得る。
【０１５０】
候補リソースが決定された後に、ＵＥは、現在の候補リソースがリソース集合の２０％より小さいかを決定してよく、すなわち、現在の候補リソースがリソース集合の０．２倍より小さいかを決定してよい。現在の候補リソースがリソース集合の２０％より大きい、またはそれに等しい場合、ＵＥは、現在の候補リソースから利用可能なリソースを選択し、利用可能なリソースからリソースを選択して選択したリソースをデータ情報に配分し、データ情報を伝送してよい。現在の候補リソースがリソース集合の２０％より小さい場合、現在のエネルギー閾値は、３  ｄＢのステップで増加し、現在の候補リソースがリソース集合の２０％より大きい、またはそれに等しくなるまで、現在の候補リソースを再決定する。
【０１５１】
関連技術において、データを伝送する前に、Ｖ−ＵＥは、候補リソースがリソース集合の２０％より大きいかを決定する必要があり、候補リソースがリソース集合の２０％より大きい可能性が比較的低い。従って、Ｖ−ＵＥは、エネルギー閾値を繰り返して増加させる必要があり、候補リソースを再決定し、従って、比較的大量のエネルギーを消費する必要がある。Ｐ−ＵＥも同様の原理を用いる場合、Ｐ−ＵＥは、比較的大量のエネルギーを消費する。従って、Ｐ−ＵＥの長期通常使用を保証することができない。
【０１５２】
データ情報が特定のリソース上で伝送されているとき、カウンタ（英語表記：ｃｏｕｎｔｅｒ）は、カウントするために用いられてよい。データ情報が、リソースを占有することによって伝送され始めるとき、カウンタの値が最大値に設定され、そして、順次に減少する。カウンタの値が０まで減少したとき、ＵＥは、［０，０．２，０．４，０．６，０．８］から確率値ｐをランダムに選択し得る。例えば、選択されたｐが０．６の場合、ＵＥは、０．６の確率でデータ情報を送信するための現在のリソースを用い続けてよく、同時に、カウンタは、最大値に再設定される。さらに、ＵＥは、１−ｐ＝０．４の確率を用いることによって、リソース再選択を実行する。リソース再選択中に、ＵＥは、信号エネルギー値に基づき、以前に決定した候補リソースをソーティングし、そして、データ情報を送信するための最小の信号エネルギー値を有するリソースサブ集合からリソースをランダムに選択してよい。例えば、各リソースサブ集合のサイズが、リソース集合の２０％に等しい。
【０１５３】
さらに、Ｖ２Ｖ技術において、情報伝送信頼度を保証するために、指定された伝送の最大数が一般に２である。言い換えれば、データ情報を伝送する間に、データ情報は、２回伝送され、第１の伝送のＳＡ情報は、データ情報の第１の伝送と、データ情報の次の伝送との間の時間間隔を示す。図１８において示されているように、第１の伝送のＳＡ情報は、データ情報の第１の伝送と、データ情報の第２の伝送との間の時間間隔を示してよく、第２の伝送のＳＡ情報は、データ情報の第２の伝送と、データ情報の第１の伝送との間の時間間隔を示してよい。
【０１５４】
図１９に示されているように、本発明の実施形態は、さらに別のデバイスツーデバイスデータ伝送装置１９０を提供する。データ伝送装置１９０は、図１における通信デバイスＰ−ＵＥのために用いられてよい。データ伝送装置１９０は、伝送リソースに対して信号検出を実行するよう構成される第３の検出モジュール１９０１であって、伝送リソースは、データ伝送のために用いられるリソース集合を含むか、または、伝送リソースは、リソース集合の第１のリソースサブ集合を含む、第３の検出モジュール１９０１と、第２のリソースおよび第３のリソースを第１の候補リソースとして決定するよう構成される第３の決定モジュール１９０２であって、第２のリソースは、伝送リソースにあり、かつ、ＳＡ情報が問題なく復号されていないリソースであり、第３のリソースは、伝送リソースにあり、ＳＡ情報が問題なく復号され、かつ、信号エネルギー値が対応する予め設定された閾値より小さいリソースである第３の決定モジュール１９０２と、第１の候補リソースが伝送リソースのＬ倍より大きいかを決定するよう構成される第１の判断モジュール１９０３であって、Ｌは第１の数値より小さく、第１の数値は０．２に等しい、第１の判断モジュール１９０３と、第１の候補リソースが伝送リソースのＬ倍より大きいとき、第１の候補リソースから利用可能なリソースを選択することによって伝送されるべきデータを伝送するよう構成される第３の伝送モジュール１９０４とを備えてよい。
【０１５５】
結論として、本発明の本実施形態は、デバイスツーデバイスデータ伝送装置を提供する。データ伝送装置における第３の伝送モジュールが伝送されるべきデータを伝送する前に、第１の判断モジュールが、第１の候補リソースが伝送リソースのＬ倍より大きいかを決定するとき、Ｌは、関連技術における０．２より小さく、すなわち、Ｌは、関連技術における２０％より小さい。従って、第１の候補リソースが伝送リソースのＬ倍より大きいという要求は大いに改善され、第１の候補リソースが伝送リソースのＬ倍より大きくないとき、閾値を調整して候補リソースを再決定する段階を実行する確率が低減される。従って、データ伝送プロセスにおいて実行される必要がある段階が減少し、通信デバイスの消費エネルギーが低減され、通信デバイスがハンドヘルドデバイスである場合、ハンドヘルドデバイスの比較的長期通常使用を保証することができる。
【０１５６】
図２０に示されているように、図１９に基づき、データ伝送装置１９０はさらに、第１の候補リソースが伝送リソースのＬ倍より大きくないとき、各第３のリソースに対応する予め設定された閾値をＭだけ増加させ、各第３のリソースに対応するターゲット閾値を取得するよう構成される増加モジュール１９０５であって、Ｍは、第２の数値より大きく、第２の数値は３  ｄＢに等しい、増加モジュール１９０５と、信号エネルギー値が対応するターゲット閾値より小さい第２のリソースおよび第３のリソースを、第２の候補リソースとして決定するよう構成される第４の決定モジュール１９０６と、第２の候補リソースが伝送リソースのＬ倍より大きいかを決定するよう構成される第２の判断モジュール１９０７と、第２の候補リソースが伝送リソースのＬ倍より大きいとき、第２の候補リソースから利用可能なリソースを選択することによって伝送されるべきデータを伝送するよう構成される第４の伝送モジュール１９０８とを備えてよい。
【０１５７】
図２１に示されているように、図１９に基づき、データ伝送装置１９０はさらに、予約情報を決定するよう構成される第５の決定モジュール１９０９であって、予約情報は、伝送されるべきデータの利用可能な周波数領域リソースが少なくとも２回、予約されることを示す、第５の決定モジュール１９０９を備えてよい。
【０１５８】
任意選択に、予約情報は、スケジューリング割当ＳＡ情報を含み、または、予約情報は、基地局により通信デバイスのために設定される。
【０１５９】
任意選択に、予約情報は、予約周期長の少なくとも１つの因子を示し、予約周期長は、第３の数値より大きく、第３の数値は、車車間通信Ｖ２Ｖ技術における予約周期長に等しい。
【０１６０】
任意選択に、予約周期長の因子は、パラメータｉを含み、ｉは、第４の数値より大きい、またはそれに等しく、第４の数値は、１０に等しい。ＳＡ情報における第１のビットシグナリングおよび第２のビットシグナリングのうち少なくとも１つは、パラメータｉを示し、第１のビットシグナリングは、Ｖ２Ｖ技術におけるＳＡ情報にあり、かつ、パラメータｉを示すビットシグナリングであり、第２のビットシグナリングは、ＳＡ情報における予約されたビットシグナリングに属する。
【０１６１】
任意選択に、予約周期長の因子は、パラメータＰを含み、Ｐは、第５の数値より大きい、またはそれに等しく、第５の数値は、１００に等しい。ＳＡ情報またはＲＲＣシグナリングは、パラメータＰを示し、異なる優先度を有する伝送されるべきデータのＳＡ情報におけるパラメータＰは異なり、異なるタイプの通信デバイスの伝送されるべきデータのＳＡ情報におけるパラメータＰは、異なり、通信デバイスは、Ｐ−ＵＥおよびＶ−ＵＥであってよく、Ｐ−ＵＥの伝送されるべきデータの優先度は、Ｖ−ＵＥの伝送されるべきデータの優先度より高い、またはそれに等しい。
【０１６２】
任意選択に、予約周期長の因子は、パラメータＱを含み、通信デバイスは、Ｐ−ＵＥおよびＶ−ＵＥであってよく、Ｐ−ＵＥの伝送されるべきデータのパラメータＱは、１より大きく、Ｖ−ＵＥの伝送されるべきデータのパラメータＱは、１に等しい。
【０１６３】
第３の伝送モジュール１９０４はさらに、第１の候補リソースから利用可能なリソースを選択することによって伝送されるべきデータを伝送し、再選択条件が満たされたかを決定し、再選択条件が満たされたとき、第１の候補リソースからリソースを再選択することによって伝送されるべきデータを伝送するよう構成される。
【０１６４】
任意選択に、再選択条件が満たされたかを決定することは、伝送されるべきデータの伝送期間が予め設定された周期より大きい、またはそれに等しいかを決定することと、伝送期間が予め設定された周期より小さいとき、再選択条件が満たされていないことを決定するか、または、伝送期間が予め設定された周期より大きい、またはそれに等しいとき、少なくとも１つの予め設定された再選択確率値から確率値をターゲット再選択確率値として選択し、少なくとも１つの予め設定された再選択確率値の値範囲は、予め設定された範囲内であり、予め設定された範囲は、［０，０．８］であり、少なくとも１つの予め設定された再選択確率値における最小の確率値は、第６の数値より大きく、第６の数値は０であり、予め設定された再選択確率値の数は、第７の数値より小さく、第７の数値は５であり、ターゲット再選択確率値に基づき、再選択条件が満たされたかを決定することとを含む。
【０１６５】
第３の検出モジュール１９０１はさらに、１秒より大きい時間間隔で伝送リソースに対して信号検出を実行するよう構成される。
【０１６６】
任意選択に、少なくとも２つのデータ優先度のうち任意の２つに対応する検出エネルギー閾値は、通信デバイス上で設定される。リソースに対応する予め設定された閾値は、リソース上で伝送されているデータの優先度と、伝送されるべきデータの優先度とに対応する検出エネルギー閾値であり、通信デバイスは、Ｐ−ＵＥおよびＶ−ＵＥであってよく、Ｐ−ＵＥの伝送されるべきデータの優先度は、Ｖ−ＵＥの伝送されるべきデータの優先度より高い、またはそれに等しい。Ｐ−ＵＥの第１の伝送されるべきデータの優先度は、第１の優先度であり、Ｖ−ＵＥの第２の伝送されるべきデータの優先度は、第２の優先度であり、第３の優先度は、第１の優先度および第２の優先度と異なり、第１の優先度および第３の優先度は、第１の検出エネルギー閾値に対応し、第２の優先度および第３の優先度は、第２の検出エネルギー閾値に対応し、第１の検出エネルギー閾値は、第２の検出エネルギー閾値より大きい、またはそれに等しい。
【０１６７】
任意選択に、伝送されるべきデータのＳＡ情報は、通信デバイスのタイプを示し、全てのＰ−ＵＥの伝送されるべきデータの優先度は、同一であり、全て、任意のＶ−ＵＥの伝送されるべきデータの優先度より高く、第１の検出エネルギー閾値は、第２の検出エネルギー閾値より大きい。
【０１６８】
任意選択に、伝送されるべきデータのＳＡ情報は、それぞれの伝送されるべきデータの優先度を示し、それぞれのタイプの伝送されるべきデータの優先度は異なり、各Ｐ−ＵＥの伝送されるべきデータの優先度は、任意のＶ−ＵＥの伝送されるべきデータの優先度より高く、第１の検出エネルギー閾値は、第２の検出エネルギー閾値より大きい、またはそれに等しい。
【０１６９】
任意選択に、伝送されるべきデータのＳＡ情報は、それぞれの伝送されるべきデータの優先度を示し、第１のＰ−ＵＥの伝送されるべきデータの優先度は、Ｖ−ＵＥの伝送されるべきデータの優先度と同一であり、第２のＰ−ＵＥの伝送されるべきデータの優先度は、Ｖ−ＵＥの伝送されるべきデータの優先度より高く、第１のＰ−ＵＥの伝送されるべきデータの優先度が第１の優先度であるとき、第１の検出エネルギー閾値は、第２の検出エネルギー閾値に等しく、第２のＰ−ＵＥの伝送されるべきデータの優先度が第１の優先度であるとき、第１の検出エネルギー閾値は、第２の検出エネルギー閾値より大きい。
【０１７０】
任意選択に、伝送されるべきデータのＳＡ情報は、それぞれの伝送されるべきデータの優先度を示し、それぞれのタイプの伝送されるべきデータの優先度は異なり、Ｐ−ＵＥの伝送されるべきデータのタイプがＶ−ＵＥの伝送されるべきデータのタイプと同一であるとき、Ｐ−ＵＥの伝送されるべきデータの優先度は、Ｖ−ＵＥの伝送されるべきデータの優先度より高い。
【０１７１】
第３の伝送モジュール１９０４はさらに、第１の利用可能なリソースから、利用可能なリソースを選択することによって、Ｙ回の反復で伝送されるべきデータを伝送するよう構成され、Ｙは、第８の数値より大きく、第８の数値は２に等しい。Ｙ番目の反復の前の各反復中に、現在の反復と、次の反復との間の時間間隔は、ＳＡ情報に示され、Ｙ番目の反復中に、Ｙ番目の反復と、Ｙ番目の反復の前の各反復との間の時間間隔は、ＳＡ情報に示される。
【０１７２】
第３の伝送モジュール１９０４はさらに、第１の利用可能なリソースから利用可能なリソースを選択することによって、Ｙ個の反復で伝送されるべきデータを伝送するよう構成され、Ｙは、第８の数値より大きく、Ｙ個の反復は、Ｚ個のグループ反復にグループ化され、Ｚは、２より大きい、またはそれに等しい整数であり、各グループにおける反復の数は、１より大きい、またはそれに等しく、各グループの反復において、最後の反復ではない各反復中に、現在の反復と、次の反復との間の時間間隔は、ＳＡ情報に示され、最後の反復中に、最後の反復と、最後の反復の前の少なくとも１つの反復との間の時間間隔と、最後の反復と、次のグループの反復における１番目の反復との間の時間間隔は、ＳＡ情報に示される。
【０１７３】
第３の伝送モジュール１９０４はさらに、第１の利用可能なリソースから利用可能なリソースを選択することによってＹ回の反復で伝送されるべきデータを伝送するよう構成され、Ｙは第８の数値より大きく、Ｙ回の反復は、Ｚ個グループの反復にグループ化され、Ｚは、２より大きい、またはそれに等しい整数であり、各グループにおける反復の数は、１より大きい、またはそれに等しく、各グループの反復において、最後の反復ではない各反復中に、現在の反復と、次の反復との間の時間間隔は、ＳＡ情報に示され、最後の反復中に、最後の反復と、最後の反復の前の少なくとも１つの反復との間の時間間隔は、ＳＡ情報に示され、第１グループの反復ではない各グループの反復において、１番目の反復中に、１番目の反復と、前のグループの反復における最後の反復との間の時間間隔は、ＳＡ情報に示され、最後のグループの反復ではない各グループの反復において、最後の反復中に、最後の反復と、次のグループの反復における１番目の反復との間の時間間隔は、ＳＡ情報に示される。
【０１７４】
結論として、本発明の本実施形態は、デバイスツーデバイスデータ伝送装置を提供する。データ伝送装置における第３の伝送モジュールが伝送されるべきデータを伝送する前に、第１の判断モジュールが、第１の候補リソースが伝送リソースのＬ倍より大きいかを決定するとき、Ｌは、関連技術における０．２より小さく、すなわち、Ｌは、関連技術における２０％より小さい。従って、第１の候補リソースが伝送リソースのＬ倍より大きいという要求が大いに改善され、第１の候補リソースが伝送リソースのＬ倍よりより大きくないとき、閾値を調整して候補リソースを再決定する段階を実行する確率が低減される。従って、データ伝送プロセスにおいて実行される必要のある段階が減少し、通信デバイスのための消費エネルギーが低減され、通信デバイスがハンドヘルドデバイスである場合、ハンドヘルドデバイスの比較的長期通常使用を保証することができる。
【０１７５】
さらに、本発明の実施形態は、デバイスツーデバイスデータ伝送装置を提供し、当該デバイスツーデバイスデータ伝送装置は、図１における通信デバイスＶ−ＵＥのために用いられ、データ伝送装置は、第６の決定モジュールおよび第５の伝送モジュールを備えてよい。第６の決定モジュールは、予約情報を決定するよう構成され、予約情報は、予約周期長の因子を示す。第５の伝送モジュールは、予約情報に基づき、伝送されるべきデータを伝送するよう構成される。
【０１７６】
任意選択に、予約周期長の因子は、パラメータｉを含み、ｉは、０より大きく、１より小さい。任意選択に、予約周期長の因子は、パラメータＰを含み、Ｐは、１００より小さい。任意選択に、パラメータＰは、伝送されるべきデータの優先度に関連するか、または、パラメータＰは、伝送されるべきデータのサービス周期に関連するか、または、パラメータＰは、伝送されるべきデータの伝送遅延に関連する。任意選択に、予約周期長の因子は、パラメータＱを含み、Ｑは、０よりより大きく、１より小さい。
【０１７７】
図２２に示されているように、本発明の実施形態は、別のデバイスツーデバイスデータ伝送方法を提供する。データ伝送方法は、図１の通信デバイスＰ−ＵＥのために用いられてよい。データ伝送方法は、図２のプロセッサ２０１によりプログラム２０２０を実行することによって実現され得る。データ伝送方法は、以下の段階を備え得る。
【０１７８】
段階２２０１：通信デバイスが、伝送されるべきデータの利用可能な周波数領域リソースが少なくとも２回予約されることを示すために用いられる予約情報を決定し、段階２２０２を実行する。
【０１７９】
具体的には、段階２２０１は、図２１の第５の決定モジュール１９０９により実現され得る。例えば、予約情報は、ＳＡ情報を含む。段階２２０１において、通信デバイスは、ＳＡ情報を取得してよい。代わりに、予約情報は、基地局または別の上位層により通信デバイスのために構成されてよい。段階２２０１において、通信デバイスは、事前設定に基づき、予約情報を直接決定してよい。予約情報は、伝送されるべきデータの利用可能な周波数領域リソースが少なくとも２回、予約されることを示すために用いられてよいことに留意されたい。関連技術において、Ｖ−ＵＥにより送信されたＳＡ情報は単に、伝送されるべきデータの利用可能な周波数領域リソースが一度、予約されることを示すために用いられることができる。しかしながら、Ｐ−ＵＥに対して、消費電力を低減し、データ伝送複雑性を低減するため、Ｐ−ＵＥのリソース予約回数の数は、少なくとも２回、例えば、５回に設定されてよい。このように、Ｐ−ＵＥは、現在の選択された周波数領域リソース上で５つのデータパケットを周期的に送信することができる。
【０１８０】
任意選択に、予約情報は、予約周期長の少なくとも１つの因子を示すために用いられてよく、予約周期長は、車車間通信Ｖ２Ｖ技術における予約周期長より大きくてよい。言い換えれば、Ｐ−ＵＥ消費電力を低減する目的が、予約周期長を増加させることによって実現される。
【０１８１】
第１の態様において、予約周期長の因子は、パラメータｉを含んでよく、ｉは、１０より大きい、またはそれに等しい。ＳＡ情報における第１のビットシグナリングおよび第２のビットシグナリングのうち少なくとも１つは、パラメータｉを示すために用いられてよく、第１のビットシグナリングは、Ｖ２Ｖ技術におけるＳＡ情報にあり、かつ、パラメータｉを示すビットシグナリングであり、第２のビットシグナリングは、ＳＡ情報における予約されたビットシグナリングに属する。
【０１８２】
第２の態様において、予約周期長の因子は、パラメータＰを含み、Ｐは、１００より大きい、またはそれに等しい。ＳＡ情報または無線リソース制御（英語表記：Ｒａｄｉｏ  Ｒｅｓｏｕｒｃｅ  Ｃｏｎｔｒｏｌ、略してＲＲＣ）シグナリングは、パラメータＰを示し、異なる優先度を有する伝送されるべきデータのＳＡ情報におけるパラメータＰは異なり、異なるタイプの通信デバイスの伝送されるべきデータのＳＡ情報におけるパラメータＰは、異なり、通信デバイスは、Ｐ−ＵＥおよびＶ−ＵＥであってよく、Ｐ−ＵＥの伝送されるべきデータの優先度は、Ｖ−ＵＥの伝送されるべきデータの優先度より高い、またはそれに等しい。
【０１８３】
第３の態様において、予約周期長の因子は、パラメータＱを含み、Ｐ−ＵＥの伝送されるべきデータのパラメータＱは、１より大きく、Ｖ−ＵＥの伝送されるべきデータのパラメータＱは、１に等しい。言い換えれば、パラメータＱが１に等しいとき、データを送信する通信デバイスはＶ−ＵＥであり、かつ、Ｑが１より大きいとき、データを送信する通信デバイスは、Ｐ−ＵＥである。
【０１８４】
任意選択に、予約周期長の全ての因子ｉ、ＰおよびＱは、予め定義されてよく、または基地局もしくは別の上位層によりＵＥのために設定されてよい。
【０１８５】
段階２２０２：通信デバイスが、データ伝送のために用いられるリソース集合を含むか、または、リソース集合の第１のリソースサブ集合を含む伝送リソースに対して信号検出を実行し、段階２２０３を実行する。
【０１８６】
具体的には、段階２２０２は、図１９、図２０、または図２１の第３の検出モジュール１９０１により、実現され得る。段階２２０２において、通信デバイスは、１秒より大きい時間間隔で伝送リソースに対して信号検出を実行してよい。関連技術において、伝送リソース検出のための時間間隔の時間領域長（検知窓とも称される）は、１秒である。Ｐ−ＵＥは、より大きいデータパケット伝送周期およびより低い伝送頻度を有する。従って、データ伝送信頼度を保証するために、Ｐ−ＵＥの検知窓の長さはこれに応じて、より大きくなり、例えば、１秒より大きくなり、これにより、Ｐ−ＵＥは、より多くのリソースに対してリソース検出および選択を実行することができ、それにより、データ伝送信頼度が保証される。
【０１８７】
段階２２０３：通信デバイスが、第２のリソースおよび第３のリソースを第１の候補リソースとして決定し、段階２２０４を実行する。
【０１８８】
具体的には、段階２２０３は、図１９、図２０、または図２１の第３の決定モジュール１９０２により実現されてよい。例えば、第２のリソースは、伝送リソースにあり、かつ、ＳＡ情報が問題なく復号されていないリソースであり、第３のリソースは、伝送リソースにあり、ＳＡ情報が問題なく復号されておらず、信号エネルギー値が対応する予め設定された閾値より小さいリソースである。少なくとも２つのデータ優先度のうち任意の２つに対応する検出エネルギー閾値は、通信デバイス上で設定されてよく、リソースに対応する予め設定された閾値は、リソース上で伝送されているデータの優先度と、伝送されるべきデータの優先度とに対応する検出エネルギー閾値であり、Ｐ−ＵＥの伝送されるべきデータの優先度は、Ｖ−ＵＥの伝送されるべきデータの優先度より高い、またはそれに等しい。例えば、Ｐ−ＵＥの第１の伝送されるべきデータの優先度は第１の優先度であり、Ｖ−ＵＥの第２の伝送されるべきデータの優先度は第２の優先度であり、第３の優先度は、第１の優先度および第２の優先度と異なり、第１の優先度および第３の優先度は、第１の検出エネルギー閾値に対応しており、第２の優先度および第３の優先度は第２の検出エネルギー閾値に対応しており、第１の検出エネルギー閾値は、第２の検出エネルギー閾値より大きい、またはそれに等しい。
【０１８９】
Ｐ−ＵＥの伝送されるべきデータの優先度は、Ｖ−ＵＥの伝送されるべきデータの優先度より高く、第１の検出エネルギー閾値は、第２の検出エネルギー閾値より大きい。従って、Ｐ−ＵＥにより決定された利用可能なリソースのサイズが増加し、利用可能なリソースが存在することを決定する確率が増加し、データ伝送効率が低減され、Ｐ−ＵＥの消費エネルギーが低減される。
【０１９０】
第１の態様において、伝送されるべきデータのＳＡ情報は、通信デバイスのタイプを示すために用いられてよく、全てのＰ−ＵＥの伝送されるべきデータの優先度は同一であり、全て、任意のＶ−ＵＥの伝送されるべきデータの優先度より高く、第１の検出エネルギー閾値は、第２の検出エネルギー閾値より大きい。言い換えれば、通信デバイスは、ＳＡ情報により示されている通信デバイスのタイプに基づき、ＳＡ情報に対応する伝送されるべきデータの優先度を決定してよい。
【０１９１】
第２の態様において、伝送されるべきデータのＳＡ情報は、それぞれの伝送されるべきデータの優先度を示し、それぞれのタイプの伝送されるべきデータの優先度は異なり、各Ｐ−ＵＥの伝送されるべきデータの優先度は、任意のＶ−ＵＥの伝送されるべきデータの優先度より高く、第１の検出エネルギー閾値は、第２の検出エネルギー閾値より大きい、またはそれに等しい。
【０１９２】
第３の態様において、伝送されるべきデータのＳＡ情報は、それぞれの伝送されるべきデータの優先度を示し、第１のＰ−ＵＥの伝送されるべきデータの優先度はＶ−ＵＥの伝送されるべきデータの優先度と同一であり、第２のＰ−ＵＥの伝送されるべきデータの優先度は、Ｖ−ＵＥの伝送されるべきデータの優先度より高く、第１のＰ−ＵＥの伝送されるべきデータの優先度が第１の優先度であるとき、第１の検出エネルギー閾値は、第２の検出エネルギー閾値に等しく、第２のＰ−ＵＥの伝送されるべきデータの優先度が第１の優先度であるとき、第１の検出エネルギー閾値は、第２の検出エネルギー閾値より大きい。
【０１９３】
例えば、Ｐ−ＵＥが、いくつかのＶ−ＵＥの優先度と同一の優先度を有するとき、Ｐ−ＵＥは、関連技術におけるＳＡ情報にあり、優先度を示すビットを再利用してよい。例えば、Ｐ−ＵＥが表２の優先度３でサービスを伝送する場合、Ｐ−ＵＥは、Ｖ−ＵＥの優先度３と同一の優先度を有し、Ｖ−ＵＥの優先度３のビットを再利用してよい。
【０１９４】
Ｐ−ＵＥの伝送されるべきデータの優先度が全てのＶ−ＵＥの伝送されるべきデータの優先度より高いとき、ＵＥのタイプは、第１の態様におけるＳＡ情報に示され、これにより、通信デバイスがＰ−ＵＥであることを決定し、Ｐ−ＵＥにより送信された伝送されるべきデータの優先度が表２に記録されている全ての優先度より高いことを決定してよい。代わりに、Ｐ−ＵＥの伝送されるべきデータの優先度と、任意の伝送されるべきデータの優先度とに対応するエネルギー閾値は、表２に記録されている全てのエネルギー閾値より大きく設定されてよい。例えば、Ｐ−ＵＥの伝送されるべきデータの優先度と、任意の伝送されるべきデータの優先度とに対応するエネルギー閾値は、１  ｄＢｍに設定されてよい。
【０１９５】
代わりに、Ｐ−ＵＥの伝送されるべきデータの優先度において、全てのＶ−ＵＥの伝送されるべきデータの優先度より高いｗ個の優先度が存在し、他の優先度がいくつかのＶ−ＵＥの伝送されるべきデータの優先度と同一である場合、ｗ個の優先度およびｗ個の優先度に対応するエネルギー閾値は、表２に追加されてよく、これにより表２は、８×８の表から、（８＋ｗ）×（８＋ｗ）の表に変わる。（８＋ｗ）×（８＋ｗ）の表は、表３として示されてよい。２つの優先度毎に対応するエネルギー閾値の例は、表３において提供されていない。  ［表３］
【表３】
2019530347.tif 000005
【０１９６】
任意選択に、伝送されるべきデータのＳＡ情報は、それぞれの伝送されるべきデータの優先度を示し、それぞれのタイプの伝送されるべきデータの優先度は異なり、Ｐ−ＵＥの伝送されるべきデータのタイプはＶ−ＵＥの伝送されるべきデータのタイプと同一であるとき、Ｐ−ＵＥの伝送されるべきデータの優先度はＶ−ＵＥの伝送されるべきデータの優先度より高い。
【０１９７】
段階２２０４：通信デバイスが、第１の候補リソースが伝送リソースのＬ倍より大きいかを決定し、ここで、Ｌは、０．２より小さい。第１の候補リソースが伝送リソースのＬ倍より大きい場合、段階２２０５が実行され、第１の候補リソースが伝送リソースのＬ倍より小さい、またはそれに等しい場合、段階２２０６が実行される。
【０１９８】
具体的には、段階２２０４は、図１９、図２０、または図２１の第１の判断モジュール１９０３により実現されてよい。Ｌは、関連技術における０．２より小さく、すなわち、Ｌは、関連技術における２０％より小さい。従って、第１の候補リソースが伝送リソースのＬ倍より大きいという要求が大いに改善され、第１の候補リソースが伝送リソースのＬ倍より大きくないとき、閾値を調整して候補リソースを再決定する段階を実行する確率が低減される。従って、データ伝送プロセスにおいて実行される必要がある段階が減少し、通信デバイスの消費エネルギーが低減される。従って、通信デバイスがハンドヘルドデバイスであるとき、ハンドヘルドデバイスの比較的長期通常使用を保証することができる。
【０１９９】
段階２２０５：通信デバイスが、第１の候補リソースから利用可能なリソースを選択することによって伝送されるべきデータを伝送する。
【０２００】
具体的には、段階２２０５は、図１９、図２０、または図２１の第３の伝送モジュール１９０４により実現されてよく、例えば、利用可能なリソースは、関連技術における方法を用いることによって第１の候補リソースから選択されてよく、伝送されるべきデータは、利用可能なリソース上で伝送されてよい。
【０２０１】
第１の候補リソースが伝送リソースのＬ倍より大きいとき、伝送されるべきデータは、第１の候補リソースから利用可能なリソースを選択することによって伝送される。伝送プロセスにおいて、再選択条件が満たされるかが決定される。具体的には、伝送期間が予め設定された周期より小さいとき（例えば、カウンタがカウントするために用いられてよい）、再選択条件が満たされていないことが決定されるか、または、伝送期間が予め設定された周期より大きい、またはそれに等しいとき、確率値は、少なくとも１つの予め設定された再選択確率値からターゲット再選択確率値として選択され、少なくとも１つの予め設定された再選択確率値の値範囲が［０，０．８］にあり、少なくとも１つの予め設定された再選択確率値における最小確率値が０より大きく、予め設定された再選択確率値の数は、５より小さく、ターゲット再選択確率値に基づき、再選択条件が満たされるかが決定される。言い換えれば、ターゲット再選択確率値に基づき、リソース再選択が、現在の伝送のために用いられる利用可能なリソースに対して実行される必要があるかが決定される。再選択条件が満たされたとき、第１の候補リソースからリソースを再選択することによって、伝送されるべきデータを伝送するための関連技術を参照してよい。
【０２０２】
本発明の本実施形態において、少なくとも１つの予め設定された再選択確率値の値範囲は［０，０．８］にあり、少なくとも１つの予め設定された再選択確率値における最小確率値は０より大きく、予め設定された再選択確率値の数は、５より小さい。言い換えれば、スキップリソース再選択の確率が増加し、リソース再選択の確率が低減される。従って、データ伝送プロセスにおいてハンドヘルドデバイスによって実行される必要がある段階が減少し、ハンドヘルドデバイスの消費エネルギーが低減される。
【０２０３】
さらに、第１の候補リソースが伝送リソースのＬ倍より大きいとき、伝送されるべきデータのＹ回の反復は、第１の利用可能なリソースから利用可能なリソースを選択することによって実行されてよく、Ｙは、２より大きい。本発明の本実施形態において、反復の数は、関連技術における２より大きい。従って、データ伝送信頼度はさらに向上することができる。
【０２０４】
１つの態様において、図２３に示されているように、Ｙ番目の反復の前の各反復中に、現在の反復と、次の反復との間の時間間隔がＳＡ情報に示され、Ｙ番目の反復中に、Ｙ番目の反復と、Ｙ番目の反復の前の各反復との間の時間間隔は、ＳＡ情報に示される。
【０２０５】
別の態様において、図２４に示されているように、Ｙ回の反復は、Ｚ個のグループの反復にグループ化され、Ｚは２より大きい、またはそれに等しい整数であり、各グループにおける反復の数は、１より大きい、またはそれに等しく、各グループの反復において、最後の反復ではない各反復中に、現在の反復と次の反復との間の時間間隔はＳＡ情報に示され、最後の反復中に、最後の反復と、最後の反復の前の少なくとも１つの反復との間の時間間隔、および最後の反復と次のグループの反復における１番目の反復との間の時間間隔はＳＡ情報に示される。
【０２０６】
図２５に示されているさらに別の態様において、Ｙ回の反復は、Ｚ個のグループの反復にグループ化され、Ｚが、２より大きい、またはそれに等しい整数であり、各グループにおける反復の数は、１より大きい、またはそれに等しく、各グループの反復において、最後の反復ではない各反復中に、現在の反復と、次の反復との間の時間間隔は、ＳＡ情報に示され、最後の反復中に、最後の反復と、最後の反復の前の少なくとも１つの反復との間の時間間隔はＳＡ情報に示され、第１グループの反復ではない各グループの反復において、１番目の反復中に、１番目の反復と、前のグループの反復における最後の反復との間の時間間隔は、ＳＡ情報に示され、最後のグループの反復ではない各グループの反復において、最後の反復中に、最後の反復と、次のグループの反復における１番目の反復との間の時間間隔は、ＳＡ情報に示される。
【０２０７】
段階２２０６：通信デバイスが、各第３のリソースに対応する予め設定された閾値をＭだけ増加させ、各第３のリソースに対応するターゲット閾値を取得し、段階２２０７を実行し、ここで、Ｍは、３  ｄＢより大きい。
【０２０８】
具体的には、段階２２０６は、図２０の増加モジュール１９０５により実現されてよい。
【０２０９】
段階２２０７：通信デバイスが、信号エネルギー値が対応するターゲット閾値より小さい第２のリソースおよび第３のリソースを、第２の候補リソースとして決定し、段階２２０８を実行する。
【０２１０】
具体的には、段階２２０７は、図２０の第４の決定モジュール１９０６により実現されてよい。Ｍが関連技術における３  ｄＢの段階値より大きいので、再決定された第２の候補リソースが伝送リソースのＬ倍より大きいという要求が大いに改善され、段階２２０６を繰り返して実行する回数が低減される。従って、データ伝送プロセスにおいて実行される必要のある段階が減少し、通信デバイスの消費エネルギーが低減される。従って、通信デバイスがハンドヘルドデバイスである場合、ハンドヘルドデバイスの比較的長期通常使用を保証することができる。
【０２１１】
段階２２０８：通信デバイスが、第２の候補リソースが伝送リソースのＬ倍より大きいかを決定する。第２の候補リソースが伝送リソースのＬ倍より大きいとき、段階２２０９は実行され、第２の候補リソースが伝送リソースのＬ倍より小さい、またはそれに等しいとき、段階２２０６は実行される。
【０２１２】
具体的には、段階２２０８は、図２０の第２の判断モジュール１９０７により実現されてよい。
【０２１３】
段階２２０９：通信デバイスが、第２の候補リソースから利用可能なリソースを選択することによって伝送されるべきデータを伝送する。
【０２１４】
具体的には、段階２２０９は、図２０の第４の伝送モジュール１９０８により実現されてよい。第２の候補リソースから利用可能なリソースを選択することによってデータを伝送する具体的な段階について、段階２２０５を参照されたい。本発明の本実施形態詳細において、詳細はここで説明されない。
【０２１５】
結論として、本発明の本実施形態は、デバイスツーデバイスデータ伝送方法を提供する。伝送されるべきデータが伝送される前に、第１の候補リソースが伝送リソースのＬ倍より大きいかが事前に決定されたとき、Ｌは、関連技術における０．２より小さく、すなわち、Ｌは、関連技術における２０％より小さい。従って、第１の候補リソースが伝送リソースのＬ倍より大きいという要求が大いに改善され、第１の候補リソースが伝送リソースのＬ倍より大きくないとき、閾値を調整して候補リソースを再決定する段階を実行する確率が低減される。従って、データ伝送プロセスにおいて実行される必要がある段階が減少し、通信デバイスの消費エネルギーが低減される。従って、通信デバイスがハンドヘルドデバイスである場合、ハンドヘルドデバイスの比較的長期通常使用を保証することができる。
【０２１６】
本発明の実施形態は、デバイスツーデバイスデータ伝送システムを提供し、当該デバイスツーデバイスデータ伝送システムは、通信デバイスを備えてよく、通信デバイスは、図２、図３、図４、図１９、図２０、または図２１に示されているデバイスツーデバイスデータ伝送装置を含んでよい。
【０２１７】
本発明の実施形態において提供されるデータ伝送方法の段階の時系列順序は、適切に調整されてよく、段階は、状況に従って、これに応じて、追加され、または削除されてもよいことに留意されたい。当業者により容易に想到される、本発明において開示されている技術範囲内の任意の変更は、本発明の保護範囲内に含まれるものとし、詳細はここで再び説明されない。
【０２１８】
簡便、かつ簡潔な説明のために、前述したデバイスツーデバイスデータ伝送装置の実施形態、デバイスツーデバイスデータ伝送システムの実施形態、およびデバイスツーデバイスデータ伝送方法の実施形態は、互いに参照されてよいことが、当業者により明白に理解され得て、本発明の実施形態において、詳細はここで再び説明されない。
【０２１９】
前述の説明は単に、本発明の例示的な実施形態であり、本発明を限定することを意図しない。本発明の精神および原理から逸脱することなく行われた任意の変更、均等な置換え、および改善は、本発明の保護範囲内に含まれるものとする。
【図１】
2019530347.tif 000006
【図２】
2019530347.tif 000007
【図３】
2019530347.tif 000008
【図４】
2019530347.tif 000009
【図５】
2019530347.tif 000010
【図６】
2019530347.tif 000011
【図７】
2019530347.tif 000012
【図８】
2019530347.tif 000013
【図９】
2019530347.tif 000014
【図１０】
2019530347.tif 000015
【図１１】
2019530347.tif 000016
【図１２】
2019530347.tif 000017
【図１３】
2019530347.tif 000018
【図１４】
2019530347.tif 000019
【図１５】
2019530347.tif 000020
【図１６】
2019530347.tif 000021
【図１７】
2019530347.tif 000022
【図１８】
2019530347.tif 000023
【図１９】
2019530347.tif 000024
【図２０】
2019530347.tif 000025
【図２１】
2019530347.tif 000026
【図２２】
2019530347.tif 000027
【図２３】
2019530347.tif 000028
【図２４】
2019530347.tif 000029
【図２５】
2019530347.tif 000030
【手続補正書】
【提出日】平成31年4月26日(2019.4.26)
【手続補正１】
【補正対象書類名】特許請求の範囲
【補正対象項目名】全文
【補正方法】変更
【補正の内容】
【特許請求の範囲】
【請求項１】
デバイスツーデバイスデータ伝送方法であって、前記デバイスツーデバイスデータ伝送方法は、通信デバイスのために用いられ、
予約情報を決定する段階であって、前記予約情報は、予約周期長の因子を示す、段階と、
前記予約情報に基づき、伝送されるべきデータを伝送する段階とを備える、
デバイスツーデバイスデータ伝送方法。
【請求項２】
前記予約周期長の前記因子は、パラメータｉを含み、ｉは、０より大きく、１より小さい、請求項１に記載のデバイスツーデバイスデータ伝送方法。
【請求項３】
スケジューリング割当情報（ＳＡ情報）における第１のビットシグナリングおよび第２のビットシグナリングのうち少なくとも１つが、前記パラメータｉを示し、前記第１のビットシグナリングは、車車間（Ｖ２Ｖ）通信技術におけるＳＡ情報にあり、かつ、前記パラメータｉを示すビットシグナリングであり、前記第２のビットシグナリングは、前記ＳＡ情報における予約されたビットシグナリングに属する、請求項２に記載のデバイスツーデバイスデータ伝送方法。
【請求項４】
前記予約周期長の前記因子は、パラメータＰを含み、Ｐは１００より小さい、請求項１から３のいずれか一項に記載のデバイスツーデバイスデータ伝送方法。
【請求項５】
無線リソース制御（ＲＲＣ）シグナリングは、前記パラメータＰを示す、請求項４に記載のデバイスツーデバイスデータ伝送方法。
【請求項６】
前記予約情報は、ＳＡ情報、ＲＲＣシグナリング、または上位層により前記通信デバイスのために示される、請求項１に記載のデバイスツーデバイスデータ伝送方法。
【請求項７】
デバイスツーデバイスデータ伝送装置であって、前記デバイスツーデバイスデータ伝送装置は、通信デバイスのために用いられ、
予約情報を決定するよう構成される第６の決定モジュールであって、前記予約情報は、予約周期長の因子を示す、第６の決定モジュールと、
前記予約情報に基づき、伝送されるべきデータを伝送するか、または、前記予約情報に基づき、受信されるべきデータを受信するよう構成される第５の伝送モジュールとを備える、
デバイスツーデバイスデータ伝送装置。
【請求項８】
前記予約周期長の前記因子は、パラメータｉを含み、ｉは、０より大きく、１より小さい、請求項７に記載のデバイスツーデバイスデータ伝送装置。
【請求項９】
スケジューリング割当情報（ＳＡ情報）における第１のビットシグナリングおよび第２のビットシグナリングのうち少なくとも１つがパラメータｉを示し、前記第１のビットシグナリングは、車車間（Ｖ２Ｖ）通信技術におけるＳＡ情報にあり、かつ、前記パラメータｉを示すビットシグナリングであり、前記第２のビットシグナリングは、前記ＳＡ情報における予約されたビットシグナリングに属する、請求項８に記載のデバイスツーデバイスデータ伝送装置。
【請求項１０】
前記予約周期長の前記因子は、パラメータＰを含み、Ｐは１００より小さい、請求項７から９のいずれか一項に記載のデバイスツーデバイスデータ伝送装置。
【請求項１１】
無線リソース制御（ＲＲＣ）シグナリングは、前記パラメータＰを示す、請求項１０に記載のデバイスツーデバイスデータ伝送装置。
【請求項１２】
前記予約情報は、ＳＡ情報、ＲＲＣシグナリング、または上位層により前記通信デバイスのために示される、請求項７に記載のデバイスツーデバイスデータ伝送装置。
【請求項１３】
請求項１から６のいずれか一項に記載のデバイスツーデバイスデータ伝送方法を実行するよう構成されている装置。
【請求項１４】
コンピュータにより実行されたとき、前記コンピュータに請求項１から６のいずれか一項に記載のデバイスツーデバイスデータ伝送方法を実行させるプログラム。
【請求項１５】
デバイスツーデバイスデータ伝送システムであって、前記デバイスツーデバイスデータ伝送システムは、通信デバイスを備え、前記通信デバイスは、請求項７から１２のいずれか一項に記載のデバイスツーデバイスデータ伝送装置を含む、デバイスツーデバイスデータ伝送システム。
【手続補正２】
【補正対象書類名】明細書
【補正対象項目名】０００３
【補正方法】変更
【補正の内容】
【０００３】
Ｖ２Ｖ技術において、第１のデバイスが第２のデバイスと通信する必要があるとき、第１のデバイスはまず、予め設定された時間間隔において、データ伝送のために用いられるリソース集合全体に対して信号検出を実行する必要があり、信号検出結果に基づき、リソース集合いおける利用可能な伝送リソースを決定する。そして、第１のデバイスは、決定された利用可能な伝送リソース上で第２のデバイスへデータを伝送することができる。
【手続補正３】
【補正対象書類名】明細書
【補正対象項目名】００１４
【補正方法】変更
【補正の内容】
【００１４】
具体的には、第１のリソースサブ集合のより大きい信号エネルギー値が第１のリソースサブ集合において占有されるリソースがより多いこと、第１のリソースサブ集合に近リソースを占有する可能性がより高いこと、および第１のリソースサブ集合から遠く離れるリソースを占有する可能性がより低いことを示す。従って、第１のリソースサブ集合の信号エネルギー値に基づき、第１のパラメータＫを決定する間に、第１のリソースサブ集合の信号エネルギー値がより大きい場合、より小さい第１のパラメータＫが決定され得て、第１のリソースサブ集合の信号エネルギー値がより小さい場合、より大きい第１のパラメータＫが決定される。これにより、決定された候補リソースにおいて比較的数の大きい第１の利用可能なリソースが存在することが保証される。
【手続補正４】
【補正対象書類名】明細書
【補正対象項目名】００２１
【補正方法】変更
【補正の内容】
【００２１】
言い換えれば、第１のＳＡ情報が、予約されたリソースが存在しないことを示したとき、通信デバイスは、第１のリソースを候補リソースとして直接決定して、信号検出結果に基づき、候補リソースにおける利用可能なリソースをリソース集合における利用可能なリソースとして決定し得る。
【手続補正５】
【補正対象書類名】明細書
【補正対象項目名】００２６
【補正方法】変更
【補正の内容】
【００２６】
第３の態様によれば、デバイスツーデバイスデータ伝送方法が提供され、当該デバイスツーデバイスデータ伝送方法は、通信デバイスのために用いられ、伝送リソースに対して信号検出を実行する段階であって、伝送リソースがデータ伝送のために用いられるリソース集合であるか、または、伝送リソースはリソース集合における第１のリソースサブ集合である、段階と、第２のリソースおよび第３のリソースを第１の候補リソースとして決定する段階であって、第２のリソースは、伝送リソースにあり、かつ、ＳＡ情報が問題なく復号されていないリソースであり、第３のリソースは、伝送リソースにあり、かつ、ＳＡ情報が問題なく復号され、信号エネルギー値が対応する予め設定された閾値より小さいリソースである、段階と、第１の候補リソースが伝送リソースのＬ倍より大きいかを決定する段階であって、Ｌは第１の数値に等しい、段階と、第１の候補リソースが伝送リソースのＬ倍より大きいとき、第１の候補リソースから利用可能なリソースを選択することによって伝送されるべきデータを伝送する段階と、第１の候補リソースが伝送リソースのＬ倍より大きくないとき、各第３のリソースに対応する予め設定された閾値をＭだけ増加し、各第３のリソースに対応するターゲット閾値を取得する段階であって、Ｍは、第２の数値より大きい、段階と、ＳＡ情報が問題なく復号され、信号エネルギー値が対応するターゲット閾値より小さい第２のリソースおよび第３のリソースを第２の候補リソースとして決定する段階と、第２の候補リソースが伝送リソースのＬ倍より大きかを決定する段階と、第２の候補リソースが伝送リソースのＬ倍より大きいとき、第２の候補リソースから利用可能なリソースを選択することによって伝送されるべきデータを伝送する段階とを備える。任意選択に、Ｌは０．２に等しく、第２の数値は、３  ｄＢに等しい。
【手続補正６】
【補正対象書類名】明細書
【補正対象項目名】００３３
【補正方法】変更
【補正の内容】
【００３３】
任意選択に、予約周期長の因子は、パラメータＰを含み、Ｐは、第５の数値より大きい、またはそれに等しい。ＳＡ情報またはＲＲＣシグナリングは、パラメータＰを示し、異なる優先度を有する伝送されるべきデータのＳＡ情報におけるパラメータＰが異なり、または、異なるタイプの通信デバイスの伝送されるべきデータのＳＡ情報におけるパラメータＰは、異なり、通信デバイスは、Ｐ−ＵＥおよびＶ−ＵＥであってよい。第５の数値は、１００に等しい。
【手続補正７】
【補正対象書類名】明細書
【補正対象項目名】００３４
【補正方法】変更
【補正の内容】
【００３４】
任意選択に、予約周期長の因子は、パラメータＱを含み、通信デバイスは、Ｐ−ＵＥおよびＶ−ＵＥであってよく、Ｐ−ＵＥの伝送されるべきデータのパラメータＱは、１より大きく、Ｖ−ＵＥの伝送されるべきデータのパラメータＱは、１に等しい。
【手続補正８】
【補正対象書類名】明細書
【補正対象項目名】００４７
【補正方法】変更
【補正の内容】
【００４７】
第９の態様によれば、デバイスツーデバイスデータ伝送方法が提供され、当該デバイスツーデバイスデータ伝送方法は、通信デバイスのために用いられ、伝送リソースに対して信号検出を実行する段階であって、伝送リソースは、データ伝送のために用いられるリソース集合であるか、または、伝送リソースは、リソース集合における第１のリソースサブ集合である、段階と、第２のリソースおよび第３のリソースを第１の候補リソースとして決定する段階であって、第２のリソースは、伝送リソースにあり、かつ、ＳＡ情報が問題なく復号されていないリソースであり、第３のリソースは、伝送リソースにあり、ＳＡ情報が問題なく復号され、かつ、信号エネルギー値が対応する予め設定された閾値より小さいリソースである、段階と、第１の候補リソースが伝送リソースのＬ倍より大きかを決定する段階であって、Ｌは、第１の数値に等しい、段階と、第１の候補リソースが伝送リソースのＬ倍より大きいとき、第１の候補リソースから利用可能なリソースを選択することによって伝送されるべきデータを伝送する段階とを備える。少なくとも２つのデータ優先度のうち任意の２つに対応する検出エネルギー閾値が、通信デバイス上で設定され、リソースに対応する予め設定された閾値は、リソース上で伝送されているデータの優先度と、伝送されるべきデータの優先度とに対応する検出エネルギー閾値であり、通信デバイスは、Ｐ−ＵＥおよびＶ−ＵＥであってよく、Ｐ−ＵＥの伝送されるべきデータの優先度は、Ｖ−ＵＥの伝送されるべきデータの優先度より高い、またはそれに等しい。Ｐ−ＵＥの第１の伝送されるべきデータの優先度は、第１の優先度であり、Ｖ−ＵＥの第２の伝送されるべきデータの優先度が第２の優先度であり、第３の優先度は、第１の優先度および第２の優先度と異なり、第１の優先度および第３の優先度は、第１の検出エネルギー閾値に対応し、第２の優先度および第３の優先度は、第２の検出エネルギー閾値に対応し、第１の検出エネルギー閾値は、第２の検出エネルギー閾値より大きい、またはそれに等しい。任意選択に、Ｌは、０．２に等しい。
【手続補正９】
【補正対象書類名】明細書
【補正対象項目名】００４８
【補正方法】変更
【補正の内容】
【００４８】
Ｐ−ＵＥの伝送されるべきデータの優先度は、Ｖ−ＵＥの伝送されるべきデータの優先度より高く、第１の検出エネルギー閾値は、第２の検出エネルギー閾値より大きい。従って、Ｐ−ＵＥにより決定される利用可能なリソースのサイズが増大し、利用可能なリソースが存在することを決定する確率が増加し、データ伝送効率が向上し、Ｐ−ＵＥの消費エネルギーが低減される。
【手続補正１０】
【補正対象書類名】明細書
【補正対象項目名】００５３
【補正方法】変更
【補正の内容】
【００５３】
第１０の態様によれば、デバイスツーデバイスデータ伝送方法が提供され、当該デバイスツーデバイスデータ伝送方法は、通信デバイスのために用いられ、伝送リソースに対して信号検出を実行する段階であって、伝送リソースがデータ伝送のために用いられるリソース集合であるか、または伝送リソースがリソース集合における第１のリソースサブ集合である、段階と、第２のリソースおよび第３のリソースを第１の候補リソースとして決定する段階であって、第２のリソースは、伝送リソースにあり、かつ、ＳＡ情報が問題なく復号されていないリソースであり、第３のリソースは、伝送リソースにあり、ＳＡ情報が問題なく復号され、かつ、信号エネルギー値が対応する予め設定された閾値より小さいリソースである、段階と、第１の候補リソースが伝送リソースのＬ倍より大きいかを決定する段階であって、Ｌは、第１の数値に等しい、段階と、第１の候補リソースは、伝送リソースのＬ倍より大きいとき、第１の候補リソースから利用可能なリソースを選択することによってＹ回の反復で伝送されるべきデータを伝送する段階であって、Ｙは、第８の数値より大きい、段階とを備える。任意選択に、Ｌは０．２に等しく、第８の数値は、２に等しい。
【手続補正１１】
【補正対象書類名】明細書
【補正対象項目名】００９４
【補正方法】変更
【補正の内容】
【００９４】
Ｖ２Ｘ技術がＤ２Ｄ技術の進化版である。図１は、本発明の一実施形態に係るデバイスツーデバイスデータ伝送方法の応用シナリオの模式図である。図１に示されているように、通信規格ＬＴＥ−Ａ  Ｒｅｌ−１４におけるＶ２Ｘ技術は、Ｖ２Ｖ技術、Ｖ２Ｐ技術、および車路間通信（英語表記：Ｖｅｈｉｃｌｅ−ｔｏ−Ｉｎｆｒａｓｔｒｕｃｔｕｒｅ、略してＶ２Ｉ）技術の総称である。図１におけるＶ−ＵＥ、Ｐ−ＵＥ、およびインフラストラクチャはそれぞれ、通信デバイスである。Ｖ２Ｖ技術は、（車載デバイスとも称される）Ｖ−ＵＥと、Ｖ−ＵＥとの間の通信を実現することができ、Ｖ２Ｐ技術は、Ｖ−ＵＥとＰ−ＵＥ（ハンドヘルドデバイスとも称される）との間の通信を実現することができ、Ｖ２Ｉ技術は、Ｖ−ＵＥとインフラストラクチャとの間の通信を実現することができる。しかしながら、Ｐ−ＵＥ状のエネルギーが主にＰ−ＵＥに搭載されたバッテリからであるため、言い換えれば、Ｐ−ＵＥは、比較的少量のエネルギーを提供できる。従って、Ｐ−ＵＥに対して、いかに消費電力を低減するかが、緊急に解決するべき課題となっている。具体的には、Ｖ２Ｖ技術において、第１のデバイスが第２のデバイスと通信する必要があるとき、第１のデバイスはまず、予め設定された時間間隔においてデータ伝送のために用いられるリソース集合全体に対して信号検出を実行する必要があり、信号検出結果に基づき、リソース集合における利用可能な伝送リソースを決定する。そして、第１のデバイスは、決定された利用可能な伝送リソース上で、データを第２のデバイスへ伝送することができる。しかしながら、Ｖ２Ｐ技術において、ハンドヘルドデバイスが送信をデータする前にリソース集合に対して信号検出も実行する場合、ハンドヘルドデバイスは、比較的大量のエネルギーを消費する必要があり、その結果、ハンドヘルドデバイスの比較的長期通常使用を保証することができない。
【手続補正１２】
【補正対象書類名】明細書
【補正対象項目名】００９５
【補正方法】変更
【補正の内容】
【００９５】
図２に示されているように、本発明の実施形態は、デバイスツーデバイスデータ伝送装置２０を提供する。データ伝送装置１９は、図１に示されているＶ２Ｘ技術における任意の通信デバイスのために用いられてよい。データ伝送装置１９は、（中央処理装置などの）少なくとも１つのプロセッサ２０１と、少なくとも１つのネットワークインタフェース２０２と、メモリ２０３と、これらの装置間の接続および通信を実現するための少なくとも１つのバス２０４とを含んでよい。メモリ２０３およびネットワークインタフェース２０２は、バス２０４を用いることによってプロセッサ２０１に個別に接続されてよい。プロセッサ２０１は、コンピュータプログラムなどの、メモリ２０３に記憶されている実行可能なモジュールを実行するよう構成される。メモリ２０３は、高速なランダムアクセスメモリ（英語表記：Ｒａｎｄｏｍ  Ａｃｃｅｓｓ  Ｍｅｍｏｒｙ、略してＲＡＭ）を含んでよく、例えば、少なくとも１つの磁気ディスクメモリのような、不揮発性メモリ（英語表記：ｎｏｎ−ｖｏｌａｔｉｌｅ  ｍｅｍｏｒｙ）をさらに含んでよい。データ伝送装置と少なくとも１つの別のネットワークエレメントとの間の通信接続は、（有線または無線であってよい）少なくとも１つのネットワークインタフェース２０２を用いることによって実現されてよく、インターネット、広域ネットワーク、ローカルエリアネットワーク、メトロポリタンエリアネットワーク、または同様のものが用いられてよい。いくつかの実現方式において、メモリ２０３は、プログラム２０２０を記憶し、プログラム２０２０は、プロセッサ２０１により実行されてよい。
【手続補正１３】
【補正対象書類名】明細書
【補正対象項目名】０１０６
【補正方法】変更
【補正の内容】
【０１０６】
任意選択に、信号検出結果は、第１のリソースサブ集合の信号エネルギー値であり、第１の検出モジュール３０１はさらに、第１のスケジューリング割当（英語表記：Ｓｃｈｅｄｕｌｉｎｇ  Ａｓｓｉｇｎｍｅｎｔ、略してＳＡ）情報を取得することであって、第１のＳＡ情報は、データ伝送のために用いられる第１のリソースを示し、第１のリソースは、第１のリソースサブ集合に属する、取得することと、第１のＳＡ情報が、予約されたリソースの存在を示すかを決定することとを実行するよう構成され、第１の決定モジュール３０２はさらに、第１のＳＡ情報が予約されたリソースが存在しないことを示したとき、第１のリソースを候補リソースとして決定し、信号検出結果に基づき、候補リソースにおける利用可能なリソースをリソース集合における利用可能なリソースとして決定するよう構成される。
【手続補正１４】
【補正対象書類名】明細書
【補正対象項目名】０１０９
【補正方法】変更
【補正の内容】
【０１０９】
任意選択に、第１の伝送モジュール３０３はさらに、第１の利用可能なリソースから利用可能なリソースを選択することによって第１の伝送されるべきデータを伝送するよう構成される。図４は、本発明の一実施形態に係るさらに別のデバイスツーデバイスデータ伝送装置３０の概略構造図である。図４に示されているように、図３に基づき、データ伝送装置３０はさらに、（Ｘ＋１）番目の伝送されるべきデータを伝送する間に、リソース集合における第１のリソースサブ集合に対して（Ｘ＋１）番目の信号検出を実行するよう構成される第２の検出モジュール３０４であって、Ｘは１より大きいまたはそれに等しい整数である、第２の検出モジュール３０４と、（Ｘ＋１）番目の信号検出の信号検出結果と、最初のＸ個の伝送されるべきデータを伝送する間に実行される最初のＸ回の信号検出のうち少なくとも１つの信号検出結果とに基づき、リソース集合における第２の利用可能なリソースを決定するよう構成される第２の決定モジュール３０５と、第２の利用可能なリソースからリソースを選択することによって（Ｘ＋１）番目の伝送されるべきデータを伝送するよう構成される第２送信モジュール３０６とを備えてよい。
【手続補正１５】
【補正対象書類名】明細書
【補正対象項目名】０１１１
【補正方法】変更
【補正の内容】
【０１１１】
図５に示されているように、本発明の実施形態は、デバイスツーデバイスデータ伝送方法を提供する。データ伝送方法は通信デバイスのために用いられてよい。例えば、通信デバイスは、図１における任意の通信デバイスであってよい。データ伝送方法は、図２におけるプロセッサ２０１によりプログラム２０２０を実行することによって実現されてよい。データ伝送方法は、以下の段階を備えてよい。
【手続補正１６】
【補正対象書類名】明細書
【補正対象項目名】０１１７
【補正方法】変更
【補正の内容】
【０１１７】
第４の態様において、図９は、本発明の一実施形態に係るリソース集合における第１のリソースサブ集合の分布のさらに別の模式図である。図９に示されているように、リソース集合は、Ｎ個の初期集合に分割されず、リソース集合は直接、少なくとも２つの第１のリソースサブ集合を含み、少なくとも２つの第１のリソースサブ集合における２つの隣接する第１のリソースサブ集合間の時間領域間隔は全て、等差数列である。例えば、第１のリソースサブ集合と２番目の第１のリソースサブ集合との間の時間領域間隔がＥ５であり、２番目の第１のリソースサブ集合と３番目の第１のリソースサブ集合との間の時間領域間隔がＥ６であり、３番目の第１のリソースサブ集合と４番目の第１のリソースサブ集合との間の時間領域間隔がＥ７であり、Ｅ５、Ｅ６、およびＥ７は、等差数列に連続して配列されてよい。例えば、Ｅ５は４ミリ秒であり、Ｅ６は８ミリ秒であり、Ｅ７は１２ミリ秒であり、４、８、１２は、等差数列を構成できる。段階５０１において、信号検出は、各第１のリソースサブ集合に対して実行されてよい。
【手続補正１７】
【補正対象書類名】明細書
【補正対象項目名】０１２９
【補正方法】変更
【補正の内容】
【０１２９】
具体的には、第１のリソースサブ集合のより大きい信号エネルギー値は、第１のリソースサブ集合において占有されているリソースがより多いこと、第１のリソースサブ集合に近いリソースを占有する可能性がより高いこと、および、第１のリソースサブ集合から遠く離れるリソースを占有する可能性がより低いことを示す。従って、第１のリソースサブ集合の信号エネルギー値に基づき、第１のパラメータＫを決定する間に、第１のリソースサブ集合の信号エネルギー値がより大きい場合、より小さい第１のパラメータＫが決定され得て、第１のリソースサブ集合の信号エネルギー値がより小さい場合、より大きい第１のパラメータＫが決定され、これにより、決定された候補リソースにおいて比較的大きい数の第１の利用可能なリソースが存在することが保証される。
【手続補正１８】
【補正対象書類名】明細書
【補正対象項目名】０１３２
【補正方法】変更
【補正の内容】
【０１３２】
段階５０２が実行されているとき、第１のリソースサブ集合の信号エネルギー値が予め設定された閾値より小さいかがまず、決定され得て、第１のリソースサブ集合の信号エネルギー値が予め設定された閾値より小さいとき、第１のリソースサブ集合は、第１のリソースサブ集合の信号検出結果に基づき、リソース集合における第１の利用可能なリソースとして決定されて得る。第１のリソースサブ集合の信号エネルギー値が予め設定された閾値より小さくないとき、確率値は、ランダムの方式で、または予め設定されたルールを用いることによって、少なくとも１つの確率値から、利用可能な確率値として選択されてよく、利用可能な確率値に対応するリソースサブ集合は、候補リソースとして用いられ、候補リソースにおける利用可能なリソースは、信号検出結果に基づき、リソース集合における第１の利用可能なリソースとして決定される。図１３に示されているように、リソース集合が５つの集合の合計を含み、かつ、各集合が確率値に対応していると仮定される。５つの集合は、（第１の確率値、第２の確率値、第３の確率値、第４の確率値、および第５の確率値を含む）５つの確率値の合計に対応している。５つの集合のうち第３の集合は、第１のリソースサブ集合を含む。第１のリソースサブ集合の信号エネルギー値が予め設定された閾値より小さくないと決定されたとき、確率値は、ランダムの方式で、または予め設定されたルールを用いることによって、５つの確率値から、利用可能な確率値として選択されてよく、利用可能な確率値に対応する集合におけるリソースは、候補リソースとして用いられ、信号検出結果に基づき、候補リソースにおける利用可能なリソースがリソース集合における第１の利用可能なリソースとして決定される。
【手続補正１９】
【補正対象書類名】明細書
【補正対象項目名】０１４６
【補正方法】変更
【補正の内容】
【０１４６】
１つの態様において、Ｖ２Ｖ技術において、データを伝送する必要があるとき、通信デバイスは、例えば、各リソースのＲＳＲＰまたはＲＳＲＱを測定することなど、リソース集合を検知する（英語表記：ｓｅｎｓｉｎｇ）ことによって、リソース集合における各リソースに対してエネルギー検出を実行してよい。通信デバイスが、特定のリソースの測定結果が閾値より大きい、またはそれに等しいことを検出した場合、リソースが別の通信デバイスにより占有されているとみなされてよく、通信デバイスが、特定のリソースの測定結果が閾値より小さいことを検出した場合、リソースがアイドルリソースであるとみなされてよい。アイドルリソースが決定された後に、データは、アイドルリソース上で伝送されてよい。別の態様において、Ｖ２Ｖ技術において、データを伝送する必要があるとき、通信デバイスは、別の通信デバイスにより送信されたＳＡ情報を受信してよく、そして、受信されたＳＡ情報を復号してよく、ＳＡ情報は、ＳＡ情報に対応するデータ情報により占有されているリソースについての情報を含んでよい。通信デバイスは、受信されたＳＡ情報を復号することによって、別の通信デバイスにより伝送されたデータ情報により占有されているリソースを決定し得る。ＳＡ情報が問題なく復号された場合、通信デバイスは、ＳＡ情報に対応するデータ情報が、特定のリソースを占有するとみなしてよく、ＳＡ情報を復号することが失敗した場合、通信デバイスは、ＳＡ情報に対応するデータ情報がリソースを占有していないとみなしてよい。この場合、通信デバイスは、占用されていないリソース上でデータを伝送してよい。
【手続補正２０】
【補正対象書類名】明細書
【補正対象項目名】０１４７
【補正方法】変更
【補正の内容】
【０１４７】
図１７に示されているように、前述の２つの態様において、リソース集合に対する検出および送信は両方、検知窓において実現され、（ＵＥなどの）全ての通信デバイスのための検知窓のサイズは、同一である（例えば、全ての通信デバイスのための時間窓が１秒である）。検知窓においてリソース集合に対する検出および検知が完了した後のみ、通信デバイスは、リソースを、伝送されるべきデータ情報およびデータ情報に関連するＳＡ情報に配分し始める。具体的には、Ｖ２Ｖ技術において、リソースを伝送されるべきデータ情報に配分するとき、ＵＥは、検知（ｓｅｎｓｉｎｇ）技術におけるＳＡ情報復号技術を用いることによって、検出された占用されていないリソース、および占有されているが信号エネルギー値が対応するエネルギー閾値より小さいリソースを現在の候補リソースとして決定してよい。前述のエネルギー閾値は、伝送されるべきデータ情報の優先度に関連する。データ情報のより高い優先度は、データ情報のためのリソース配分中に用いられる予定のより大きいエネルギー閾値を示し、データ情報のより低い優先度が、データ情報のためのリソース配分中に用いられる予定のより小さいエネルギー閾値を示す。現在、Ｖ２Ｖ技術において、データ情報のための８つの優先度の合計が存在し、それぞれのデータ情報の優先度は、データ情報に関連するＳＡ情報における３ビットシグナリングを用いることによって示される。ＵＥは、別のＵＥにより送信されたＳＡ情報を復号して別のＵＥにより伝送されているデータの優先度を決定し、別のＵＥにより伝送されているデータの優先度をＵＥ自身により送信される必要があるデータの優先度と比較し、検出のために用いられるエネルギー閾値を決定してよい。具体的には、予め設定された表が、各ＵＥ上で予め記憶されてよく、予め設定された表は、８つの優先度と、８つの優先度のうち任意の２つに対応するエネルギー閾値とを記録するために用いられる。
【手続補正２１】
【補正対象書類名】明細書
【補正対象項目名】０１４９
【補正方法】変更
【補正の内容】
【０１４９】
さらに、別のＵＥにより送信されたＳＡ情報を復号するとき、ＵＥは、別のＵＥのデータにより占有される必要があるリソースを決定するのみならず、次のデータ伝送のために別のＵＥにより予約されているリソースも決定することができる。例えば、図１７に示されているように、ＵＥは、時点ｎ＋ｃにおいてＳＡ情報を送信し、ＳＡ情報は、ＵＥが時点ｎ＋ｄにおいてデータ情報を送信する予定であることを示し、ＳＡ情報はさらに、ＵＥの予約されたリソースを示す。言い換えれば、時点ｎ＋ｄ＋Ｐ×ｉにおける現在の周波数領域リソースが、予約されたリソースであり、Ｐは１００ミリ秒であり、ｉの値範囲が［０，１，２，…，１０］である。ｉ＝０であるとき、ＵＥがリソースをサービングしないことが決定されてよく、ｉ＝１であるとき、予約周期が１００×１ミリ秒であり、ｉ＝２であるとき、予約周期は１００×２ミリ秒、等など。最大の予約周期は、１００×１０＝１０００ミリ秒である。例えば、ｉの値は、ＳＡ情報における４ビットシグナリングを用いることによって示されてよい。別のＵＥが特定のＳＡ情報を取得するとき、別のＵＥは、ＳＡ情報に基づき、ＳＡ情報に関連するデータ情報を伝送するためのリソースを決定してよく、データ情報を送信するＵＥの予約されたリソースをさらに知り得る。
【手続補正２２】
【補正対象書類名】明細書
【補正対象項目名】０１７１
【補正方法】変更
【補正の内容】
【０１７１】
第３の伝送モジュール１９０４はさらに、第１の候補リソースから、利用可能なリソースを選択することによって、Ｙ回の反復で伝送されるべきデータを伝送するよう構成され、Ｙは、第８の数値より大きく、第８の数値は２に等しい。Ｙ番目の反復の前の各反復中に、現在の反復と、次の反復との間の時間間隔は、ＳＡ情報に示され、Ｙ番目の反復中に、Ｙ番目の反復と、Ｙ番目の反復の前の各反復との間の時間間隔は、ＳＡ情報に示される。
【手続補正２３】
【補正対象書類名】明細書
【補正対象項目名】０１７２
【補正方法】変更
【補正の内容】
【０１７２】
第３の伝送モジュール１９０４はさらに、第１の候補リソースから利用可能なリソースを選択することによって、Ｙ個の反復で伝送されるべきデータを伝送するよう構成され、Ｙは、第８の数値より大きく、Ｙ個の反復は、Ｚ個のグループ反復にグループ化され、Ｚは、２より大きい、またはそれに等しい整数であり、各グループにおける反復の数は、１より大きい、またはそれに等しく、各グループの反復において、最後の反復ではない各反復中に、現在の反復と、次の反復との間の時間間隔は、ＳＡ情報に示され、最後の反復中に、最後の反復と、最後の反復の前の少なくとも１つの反復との間の時間間隔と、最後の反復と、次のグループの反復における１番目の反復との間の時間間隔は、ＳＡ情報に示される。
【手続補正２４】
【補正対象書類名】明細書
【補正対象項目名】０１７３
【補正方法】変更
【補正の内容】
【０１７３】
第３の伝送モジュール１９０４はさらに、第１の候補リソースから利用可能なリソースを選択することによってＹ回の反復で伝送されるべきデータを伝送するよう構成され、Ｙは第８の数値より大きく、Ｙ回の反復は、Ｚ個グループの反復にグループ化され、Ｚは、２より大きい、またはそれに等しい整数であり、各グループにおける反復の数は、１より大きい、またはそれに等しく、各グループの反復において、最後の反復ではない各反復中に、現在の反復と、次の反復との間の時間間隔は、ＳＡ情報に示され、最後の反復中に、最後の反復と、最後の反復の前の少なくとも１つの反復との間の時間間隔は、ＳＡ情報に示され、第１グループの反復ではない各グループの反復において、１番目の反復中に、１番目の反復と、前のグループの反復における最後の反復との間の時間間隔は、ＳＡ情報に示され、最後のグループの反復ではない各グループの反復において、最後の反復中に、最後の反復と、次のグループの反復における１番目の反復との間の時間間隔は、ＳＡ情報に示される。
【手続補正２５】
【補正対象書類名】明細書
【補正対象項目名】０１８８
【補正方法】変更
【補正の内容】
【０１８８】
具体的には、段階２２０３は、図１９、図２０、または図２１の第３の決定モジュール１９０２により実現されてよい。例えば、第２のリソースは、伝送リソースにあり、かつ、ＳＡ情報が問題なく復号されていないリソースであり、第３のリソースは、伝送リソースにあり、ＳＡ情報が問題なく復号され、信号エネルギー値が対応する予め設定された閾値より小さいリソースである。少なくとも２つのデータ優先度のうち任意の２つに対応する検出エネルギー閾値は、通信デバイス上で設定されてよく、リソースに対応する予め設定された閾値は、リソース上で伝送されているデータの優先度と、伝送されるべきデータの優先度とに対応する検出エネルギー閾値であり、Ｐ−ＵＥの伝送されるべきデータの優先度は、Ｖ−ＵＥの伝送されるべきデータの優先度より高い、またはそれに等しい。例えば、Ｐ−ＵＥの第１の伝送されるべきデータの優先度は第１の優先度であり、Ｖ−ＵＥの第２の伝送されるべきデータの優先度は第２の優先度であり、第３の優先度は、第１の優先度および第２の優先度と異なり、第１の優先度および第３の優先度は、第１の検出エネルギー閾値に対応しており、第２の優先度および第３の優先度は第２の検出エネルギー閾値に対応しており、第１の検出エネルギー閾値は、第２の検出エネルギー閾値より大きい、またはそれに等しい。
【手続補正２６】
【補正対象書類名】明細書
【補正対象項目名】０１８９
【補正方法】変更
【補正の内容】
【０１８９】
Ｐ−ＵＥの伝送されるべきデータの優先度は、Ｖ−ＵＥの伝送されるべきデータの優先度より高く、第１の検出エネルギー閾値は、第２の検出エネルギー閾値より大きい。従って、Ｐ−ＵＥにより決定された利用可能なリソースのサイズが増加し、利用可能なリソースが存在することを決定する確率が増加し、データ伝送効率が向上し、Ｐ−ＵＥの消費エネルギーが低減される。
【手続補正２７】
【補正対象書類名】明細書
【補正対象項目名】０２０３
【補正方法】変更
【補正の内容】
【０２０３】
さらに、第１の候補リソースが伝送リソースのＬ倍より大きいとき、伝送されるべきデータのＹ回の反復は、第１の候補リソースから利用可能なリソースを選択することによって実行されてよく、Ｙは、２より大きい。本発明の本実施形態において、反復の数は、関連技術における２より大きい。従って、データ伝送信頼度はさらに向上することができる。
【手続補正２８】
【補正対象書類名】明細書
【補正対象項目名】０２１９
【補正方法】変更
【補正の内容】
【０２１９】
前述の説明は単に、本発明の例示的な実施形態であり、本発明を限定することを意図しない。本発明の原理から逸脱することなく行われた任意の変更、均等な置換え、および改善は、本発明の保護範囲内に含まれるものとする。
【国際調査報告】
2019530347.tif 000031
2019530347.tif 000032
2019530347.tif 000033
2019530347.tif 000034